(57)【要約】  一体不可分に結合されている隣り合った２つの容器であって、同一方向に延在し当該容器間にエアギャップを有する２つの容器の構造を有する二重壁容器を製造するための量産に適した方法及び装置。二重壁容器は熱可塑性材料から単体として延伸ブロー成形される。熱可塑性の筒形ブランクを形成してから、その後に熱調整する。その後、熱調整された筒形ブランクを長手方向に機械的に伸張し、ガス圧によって外側にブロー成形することにより、筒形ブランクを第１のデュアル容器形状の金型キャビティセットの形状にして、第１の容器と第２の容器とが一体不可分に結合したものを延伸ブロー成形により形成し、両容器は逆方向に延在する。次に、延伸ブロー成形された第２の容器を必要に応じてさらに熱調整し、有利と認められる場合には第１の容器の少なくとも一部をさらに熱調整するため、追加の熱調整を適用する。このようにして、形成される物品の内表面形態を決定する外表面を有する少なくとも１つのオス金型部材の形状の反転ピストンと、一重容器形状の形態を有する第２の容器形状の金型キャビティセットとが、１つ又は複数の壁安定装置と共に提供され、この壁安定装置は、第２のより小さい容器が、第１の容器と同一方向かつ第１の容器の内側に延在するように第１の容器を実質的に鏡像反転した第２のより小さい容器となるように、第２のより小さい容器の側壁の少なくとも大部分が第２の容器形状の金型キャビティセットと接触せず、少なくとも部分的に裏返しになることがなく、それと同時に第２のより小さい容器の底壁の少なくとも大部分が反転しないように、延伸ブロー成形された一体不可分に結合されている一方又は双方の壁表面の少なくとも一部に適用される。【選択図】図１【特許請求の範囲】
【請求項１】
同一方向に延在する一体不可分に結合されている隣り合った、間にエアギャップを有する２つの容器の構造を備えた二重壁容器の製造方法であって、
デュアル容器形状を有する第１の金型キャビティを備えた第１の金型を設けるステップと、
第１の開口端及び反対側の第２の端部を有する融点未満の熱可塑性の筒形ブランクを設けるステップであって、ここで前記筒形ブランクは初期ブランク長Ｌ０及び３未満のＲＳｍａｘを有し、ＲＳｍａｘは、前記筒形ブランクの長さに沿った方向に生じるＲＳの最大値として定義され、径方向延伸比ＲＳは、圧力延伸後の任意の点における周と、元の前記筒形ブランクの対応する周との間の比として定義され、
前記筒形ブランクを、熱可塑性材料の熱軟化温度域内の当該熱可塑性材料の融点未満である第１の熱調整温度に熱調整するステップと、
熱調整された前記筒形ブランクをデュアル容器形状の前記第１の金型キャビティ内部に配置するステップと、
機械的ブランク延伸器を適用して、比Ｌ１／Ｌ０として定義される長手方向延伸比ＬＳが１を上回るように、前記熱調整された筒形ブランクを長手軸方向に延伸長さＬ１に機械的に延伸するステップと、
ＲＳｍａｘとＬＳとの比として定義される最大延伸ブロー成形比ＲＬｍａｘが３未満、好適には実質的に１又は１未満となるように、長手方向に延伸された前記筒形ブランクを前記第１の金型キャビティに一致させるために、ガス圧によって外側に向かってブロー成形して、互いに逆方向に延在する第１の容器及び一体不可分に結合された第２の容器の構造を有する延伸ブロー成形された一体不可分の、前記筒形ブランクの前記第２の端部が前記第２の容器の底部分を成すデュアル容器を、中間製品として得るステップと、
形成される物品の内表面形態を決定する外表面形態を有する少なくとも１つのオス金型部材の形状の成形された反転ピストンを設けるステップと、
一重容器形状の形態を有する第２の金型キャビティを備えた第２の金型を設けるステップと、
一体不可分に結合され延伸ブロー成形された２つの前記容器のうち一方又は双方の壁表面のうち少なくとも一部に適用される１つ又は複数の壁安定装置を設けるステップと、
を有し、
前記第１の容器の側壁の少なくとも大部分が前記第２の一重容器形状の金型キャビティと接触すると共に、前記第２の容器の側壁の少なくとも大部分が前記第２の一重容器形状の金型キャビティと接触しないようにし、同時に前記第２の容器の底壁の少なくとも大部分が裏返らないようにしながら、前記第２の容器の側壁の少なくとも一部を表裏反転できるようにして、前記第２の容器が、前記第１の容器と同一方向かつ前記第１の容器の内側に延在するよう前記第１の容器を実質的に鏡像反転したものとなるようにし、これにより、同一方向に延在する第１の容器及び一体不可分に結合された第２の容器の構造を有する延伸ブロー成形された一体不可分の二重壁容器であって、当該第１の容器と当該第２の容器との間にエアギャップを有する一体不可分の二重壁容器を、最終製品として得る
ことを特徴とする製造方法。
【請求項２】
さらに、前記第２の容器を反転するステップの前に、
前記第１の容器の少なくとも大部分を前記第２の一重容器形状の金型キャビティ内に包囲する結果として、前記延伸ブロー成形された一体不可分のデュアル容器を、前記第１の容器のいずれかの関連する１つ又は複数の領域において、減熱により第２のより低い熱調整温度に熱調整するステップと、
前記第２の容器の少なくとも大部分が前記第２の一重容器形状の金型キャビティ内に包囲されていないことの結果として、前記延伸ブロー成形された一体不可分のデュアル容器を、前記第２の容器のいずれかの関連する１つ又は複数の領域において、増熱により第２のより高い熱調整温度に熱調整するステップと、
を有し、
前記第２の容器を反転するステップは、前記延伸ブロー成形された一体不可分のデュアル容器が熱調整された状態にある間に行われる、
請求項１記載の製造方法。
【請求項３】
前記延伸ブロー成形された一体不可分のデュアル容器を熱調整するステップは、前記第２の一重容器形状の金型キャビティ内に挿入される前、前記第２の一重容器形状の金型キャビティ内にある間、又はその両方に行われる、
請求項１及び２記載の製造方法。
【請求項４】
さらに、前記第２の容器を手動で反転するステップを有する、
請求項１及び２記載の製造方法。
【請求項５】
前記熱調整された第２の容器を反転するステップは、
形成される物品の内表面形態を決定する外表面形態を有する少なくとも１つのオス金型部材の形状の成形された反転ピストンであって、前記第２の一重容器形状の金型キャビティの長手方向に変位できる少なくとも１つのオス金型部材の形状の成形された反転ピストンを設け、
前記熱調整された第２の容器の少なくとも部分的な底壁を、前記少なくとも１つのオス金型部材の形状の成形された反転ピストンと係合させ、
前記少なくとも１つのオス金型部材の形状の成形された反転ピストンを前記第２の一重容器形状の金型キャビティの長手方向に変位させることにより、前記熱調整された第２の容器の少なくとも部分的な底壁を前記第１の容器に向かって当該第１の容器内へ変位させ、前記熱調整された第２の容器の少なくとも１つの側壁は反転前及び反転中に弾性及び伸張性により外側へ向かって膨張自在となり、当該熱調整された第２の容器の底壁の変位の進行と共に徐々に反転され、同時に、反転された前記第２の容器の内表面形態が前記オス金型部材の形状の成形された反転ピストンの外表面形態と徐々に符合するように係合する
ことによって行われる、
請求項１から４までのいずれか１項記載の製造方法。
【請求項６】
さらに、前記第２の容器を反転するステップ中に、前記第１の容器及び／又は前記第２の容器の側壁を安定化するステップを有する、
請求項１から５までのいずれか１項記載の製造方法。
【請求項７】
前記第１の容器及び／又は前記第２の容器の側壁を安定化するステップは、
反転中に前記延伸ブロー成形された一体不可分のデュアル容器の内部に大気より高い圧力を供給するため、少なくとも１つの一体不可分に結合された圧力チャンバ及び／又は前記第２の一重容器形状の金型キャビティの内部に大気より高い圧力を印加するステップ、及び／又は、
反転中に前記延伸ブロー成形された一体不可分のデュアル容器の外部に大気より低い圧力を印加するステップ
を含み、
反転前及び反転中に、前記内部の大気より高い圧力及び／又は前記外部の大気より低い圧力が、熱調整された前記第２の容器を弾性及び伸張性で膨張させる、
請求項６記載の製造方法。
【請求項８】
前記第１の容器及び／又は前記第２の容器の側壁を安定化するステップは、
前記第２の一重容器形状の金型キャビティを介して、前記延伸ブロー成形された一体不可分のデュアル容器の１つ又は複数の外表面のうち壁安定制御が必要な１つ又は複数の領域に、大気より低い圧力及び／又は冷却を供給するステップ
を含む、
請求項６又は７記載の製造方法。
【請求項９】
少なくとも１つの前記オス金型部材の形状の成形された反転ピストンは冷却手段を有する、
請求項１及び５記載の製造方法。
【請求項１０】
少なくとも１つの前記オス金型部材の形状の成形された反転ピストンは取出手段を有する、
請求項１及び５記載の製造方法。
【請求項１１】
取出し中に第２の容器の安定手段が設けられる、
請求項１０記載の製造方法。
【請求項１２】
形成される物品の内表面形態を決定する外表面形態を有する少なくとも１つの前記オス金型部材の形状の成形された反転ピストンは、円錐、凸形、凹形及び／若しくは任意の他の形態、又はこれらの形態の組み合わせの表面形態を有する、
請求項１及び５並びに請求項９及び１０記載の製造方法。
【請求項１３】
デュアル容器形状を有する第１の金型キャビティを備えた第１の金型は、例えば湾曲した若しくは螺旋ねじ状の壁等の形態の内側に延在する複雑な小径のキャビティ壁構成、実質的に直角の方向変化等を有する壁、相互接続等する壁、隣接等する壁、又はこれらの任意の組み合わせ等の、前記第１の容器キャビティ凹部の壁の急峻／小径の変化の形態の１つ又は複数の内側に延在するユーザインタラクティブ構成を有する、
請求項１記載の製造方法。
【請求項１４】
前記第２の金型の前記一重容器形状の形態は、前記第１の容器の少なくとも大部分を包囲する、
請求項１から１３までのいずれか１項記載の製造方法。
【請求項１５】
前記第２の金型の前記一重容器形状の形態は、前記第２の容器の少なくとも大部分を包囲しない、
請求項１から１４までのいずれか１項記載の製造方法。
【請求項１６】
少なくとも大部分が包囲されていない前記第２の容器は、熱調整を受けると共に、前記延伸ブロー成形された一体不可分のデュアル容器の中間製品の内部に大気より高い圧力を印加し、及び／又は、当該中間製品の外部に大気より低い圧力を印加することにより、外側に向かって自由に弾性膨張可能となる、
請求項１４及び１５記載の製造方法。
【請求項１７】
同一方向に延在する一体不可分に結合されている隣り合った、間にエアギャップを有する２つの容器の構造を備えている機械的に反転された二重壁容器を製造するための延伸ブロー成形装置であって、
デュアル容器形状を有する第１の金型キャビティを有する第１の金型であって、前記第１の金型キャビティは、第１の開口端及び反対側の第２の端部を有する熱可塑性の筒形ブランクを受けるように構成されており、前記第１の金型キャビティは、前記筒形ブランクの前記開口端に機械的及び／又は密閉的係合接続するための大開口の凹部と、開口部ゾーン、側壁ゾーン、及び部分的に閉じられた底壁ゾーンを有する係合的に接続された第１の容器キャビティ凹部と、開口部ゾーン、側壁ゾーン、及び部分的又は完全に閉じられた底壁ゾーンを有する係合的に接続された第２の容器キャビティ凹部と、を有し、前記第１の容器キャビティ凹部と前記第２の容器キャビティ凹部とは互いに逆方向に延在する第１の金型と、
一重容器形状の形態を有する第２の金型キャビティを有する第２の金型であって、前記第２の金型キャビティは、前記延伸ブロー成形された一体不可分のデュアル容器を受けるように構成されており、前記第２の金型キャビティは、前記延伸ブロー成形された第１の容器の前記部分的に閉じられた底壁に機械的及び／又は密閉的係合接続するための大開口の凹部と、開口部ゾーン、側壁ゾーン、及び部分的に閉じられた底壁ゾーンを有する係合的に接続された第１の容器キャビティ凹部を有し、前記第２の金型は、前記延伸ブロー成形された一体不可分のデュアル容器の第１の容器又は第２の容器又は双方を加熱及び／又は冷却するためのオプションとしての少なくとも１つの熱調整装置と、少なくとも１つの大気未満圧力源に相互接続されるオプションとしての少なくとも１つの通路とを備えた第２の金型と、
形成される物品の内表面形態を決定する外表面形態を有する少なくとも１つのオス金型部材の形状の成形された反転ピストンであって、オプションとして取出及び／又は冷却手段を有するオス金型部材の形状の成形された反転ピストンと、
少なくとも１つの壁安定装置と、
を備えており、
オプションとして、
熱調整された状態のときに前記筒形ブランクを長手軸方向に機械的に延伸するための機械的ブランク延伸器と、
取出し中の第２の容器の少なくとも１つの安定手段と、
請求項１から１６までのいずれか１項記載の製造方法を実施するために適した装置と、
を備えていることを特徴とする延伸ブロー成形装置。
【請求項１８】
前記機械的ブランク延伸器は熱調整部を有する、
請求項１から１６までのいずれか１項記載の製造方法。
【請求項１９】
オス金型部材の形状の成形された反転ピストンは熱調整部を有する、
請求項１から１６までのいずれか１項記載の製造方法。
【請求項２０】
前記第２の容器は前記第１の容器より小さく、反転後、前記第２の容器は前記第１の容器の内部に入る、
請求項１から１６までのいずれか１項記載の製造方法。
【請求項２１】
前記第１の容器は前記第２の容器より小さく、反転後、前記第１の容器は前記第２の容器の内部に入る、
請求項１から１６までのいずれか１項記載の製造方法。
【請求項２２】
前記第１の容器が反転され、前記第２の容器の少なくとも大部分は反転されない状態に留まる、
請求項１から１６までのいずれか１項記載の製造方法。
【発明の詳細な説明】
【技術分野】
【０００１】
本発明は、熱可塑性樹脂筒形ブランクから単体として形成された二重壁容器の延伸ブロー成形のための方法及び装置に関し、当該二重壁容器は、一体不可分に結合され同一方向に延在する２つの隣り合った容器の構造を有し、当該２つの隣り合った容器間にはエアギャップが存在し、本発明は具体的には、非常に薄い壁と高度に均一な壁厚とを有する一体不可分の二重壁容器を製造する、高速量産のために適した方法及び装置に関する。
【背景技術】
【０００２】
ウィキペディアによれば、容器とは、「物又は物質を収容、貯蔵及び輸送するために使用できる部分的又は完全に閉じられた空間を形成する任意の装置から成る基本的な道具」である。
【０００３】
本願にて使用される「容器」との用語は、設計によって液体及び／又は固体の内容物を保持するように意図されているか否かにかかわらず、かかる内容物を保持するために使用できる中空又は凹形の内部構造を有する全ての受け部であって、少なくとも、実質的に容器径方向放射軸を含む開口部と、容器長手軸に対して平行に及び／又は角度をもって配置された少なくとも１つの側壁と、実質的に容器径方向放射軸を含む底壁と、を有する全ての受け部をいい、底壁は、完全に閉じられた容器の下端を成す完全に閉じられた底壁とすることができ、又は、部分的に閉じられた下端を成す部分的に閉じられた底壁とすることができる。部分的に閉じられた底壁とは、底壁表面積が、同一の径方向平面内で測定された平均側壁表面積より実質的に大きい場合をいう。最低限、部分的に閉じられた底壁は、筒形のブランクの機械的及び／又は密閉的結合形状等の、側壁の端部における肉厚化された縁部分とすることができる。
【０００４】
本願にて使用される容器は、ビーカー、ボトル、深皿、水筒、キャップ、カラフェ、段ボール箱、クラムシェル、カバー、カップ、ファストフード容器、食品容器、ガラスコップ、フード、蓋部、マグカップ、皿、ポット、又はタンブラー、又は、液体及び／又は固体の内容物を保持できる部分的又は完全に閉じられた空間を示す容器の全ての他の派生物とすることができる。
【０００５】
本願にて使用される「筒形」との用語は、実質的に管状又は筒状の形状の物であって、事実上中空であり実質的に円筒形である物をいうが、これは定義上、筒形の物が丸形又は円形でなければならないことを意味するものではない。筒形の物は、あらゆる特定の用途及び／又は容器設計に応じて必要な全ての断面形状又は断面形態とすることができ、径方向及び／又は長手方向に丸形、円形、卵形、３角形、正方形、矩形、又は、これらの幾何学的並びに／若しくは非幾何学的形態若しくは形状の全ての組み合わせを含むが、決してこれらに限定されない。
【０００６】
本願にて使用されている「一体不可分に結合されている隣り合った２つの容器であって、当該容器間にエアギャップを設けて同一方向に延在し単体として形成された２つの容器の構造を有する二重壁容器」との文言は、「一体不可分の二重壁容器」と等価に置き換えることができる。
【０００７】
本願にて使用されている「一体不可分に結合されており逆方向に延在する２つの容器であって、単体として形成された２つの容器の構造を有するデュアル容器」との文言は、「一体不可分のデュアル容器」と等価に置き換えることができる。
【０００８】
本願にて使用されている「ブロー比」との用語は、「膨張比」と等価に置き換えることができ、ブロー成形前の筒形ブランク（又は筒形スラグ）の任意の所与の寸法サイズと、ブロー成形後の容器の各寸法サイズと、の比をいう。
【０００９】
本願にて使用されている「金型キャビティセット」との文言は、典型的には２つの実質的に類似する金型半部を有する金型をいうが、当業者に明らかであるように、これは、金型キャビティセットを２つのみの金型構成要素に限定するものであるとみなしてはならない。金型キャビティセットを構成する一体不可分及び／又は別個のパーツの数は任意の数とすることができる。
【００１０】
ここでいう「空気」との用語は、上記の大気圧超及び／又は大気圧未満の圧力システムの一部として使用される気体をいうが、これは当該システムを空気の使用にのみ限定するとみなすべきものではないことは、当業者に明らかである。かかる用途に適した気体又は気体の組み合わせは数多く存在し得る。
【００１１】
毎年、量産に適した低コストの容器が、世界中で数多く作製されている。ブロー成形によって熱可塑性材料から量産される低コストの容器に関しては、低コスト製造に関する問題に以下のものが含まれるが、決して以下のものに限定されない：
・低コストの熱変形可能な合成樹脂
・薄い壁部分／軽量な空重量
・製造速度が速いこと
・配送センターに隣接して配置できる小セル製造設備を可能にすることにより物流コストを最小限にする、小さい製造ライン設置面積
・１次処理に基づく製造手法
・再利用可能度が高いこと
・物流及び保管コストを最小限にするためにスタッカビリティを最大限にすること
・サブコンポーネント部品数が少ないこと
・製造工程数が少ないこと。
【００１２】
現在、ほぼ全ての量産される容器が事実上一重壁である。その主な理由は、現在の製造工程が一体不可分の二重壁容器を作製することができず、又は、一体不可分の二重壁容器を製造する能力を有し得る現在使用されている製造手法はいずれも、商業的に高コストな製造単価となることである。
【００１３】
例えば、熱可塑性カップの現在の製法は熱成形によるものであり、前処理された熱可塑性材料のフラットシートを熱可塑性樹脂の軟化温度に加熱するが、通常は融点を超えず、その後、ガス圧及び／又は機械的延伸をかけることによりフラットシートを容器形の金型キャビティ内に熱成形する。この方法により、フラットシートから一重壁の構造を容易に形成することはできるが、フラットシートから完全な二重壁の構造を作製することに成功できる上記の熱成形法の変形態様で知られているものは無い。というのも、そのためには壁構造の少なくとも一部が熱成形中に延伸するのではなく有効的に収縮する必要があり、これは当該製法の基礎に反するからである。
【００１４】
他の一例として、一部のボトル形の容器は押出ブロー成形によって製造され、融点を超える（溶解した）熱可塑性材料の筒が容器形の金型キャビティセット間に押出され、その後、未だ溶解状態にある間にガス圧がかけられて、溶解した熱可塑性樹脂がキャビティに熱成形される。このプロセスによる量産に関する問題は、溶解筒押出は非常に低速であり、よって高速の製造速度を達成することができず、溶解状態にある間は、最終的な容器がどの程度薄壁になり得るかについて実用上の制限が課されることである。このプロセスについて典型的には、壁厚は１ｍｍを大きく上回り、これは、量産される容器について商業的に高コストとなる。
【００１５】
一体不可分に結合されている隣り合った２つの容器であって、当該容器間にエアギャップを有し単体として形成された２つの容器の構造を備えている一体不可分な二重壁容器の同等のものについては、市場駆動型の理由が無数に存在し、これには以下のものが含まれるが、以下のものに限定されない：
・完全に再利用可能なコーヒーカップの形成
・外壁に水滴を形成しないコールド用カップの形成
・飲料保管期限を延長できるコールド用カップの形成
・内容物が高温に維持される期間を長くする容器の形成。
【００１６】
一例として境界容器セクタ内でカップジャンルを使用して、利用者が手に火傷を負うことを防止するために広く用いられている別体のヒートスリーブのコーヒーカップ形態以外の、利用者がこれらのニーズのうちいずれかに取り組む際に採用する典型的なソリューションは、カップ内側にカップを配置することによって「エアギャップを有する二重壁容器」を形成することである。量産の観点からは、「カップ内側にカップを入れる」ソリューションは、別体のコーヒーカップ用ヒートスリーブを用いる場合と同様、著しい追加コストを増大することとなり、廃棄量の増加に繋がり、このことは、いかなる再利用要求に対しても生産性に反するものとなる。
【００１７】
量産のため、及び全ての容器分類にわたって費用対効果が高いソリューションは、一体不可分の２つの隣り合った容器間にエアギャップを形成するように２つの容器が単体として形成される構造の容器内容器を形成できることである。
【００１８】
従来技術の簡単な説明
米国特許第３１８２８４２号明細書は、押出ブロー成形によって製造された二重壁容器構造を記載しており、同文献では種々の製造段階が記載されており、これらの製造段階は全て、容器が溶解状態に維持されている間に行われる。完全な二重壁容器の全部が形成完了した場合のみ、熱可塑性樹脂がその融点を下回って硬化できるようになるために十分に容器を冷却することができるようになる。
【００１９】
既に述べたように、押出ブロー成形は低速の製造速度と、製品が著しく厚壁に仕上げられることとを典型とし、また、あったとしても、工程として低コストの量産される容器を製造できることは稀であったが、これは、１９６３年に同特許の出願がなされた時代の主な熱可塑性ブロー成形手法であった。その次の数十年にわたって、薄壁構造により適したブロー成形製造法の大きな進歩が達成された。
【００２０】
米国特許第３６１２３４６号明細書は、前処理されたフラットシートから熱成形によって製造された二重壁カップ構造を記載しており、フラットシートの一部は、中央カップ部分の少なくとも一部を覆う外部逆テーパ形の壁部分と一体不可分に形成されている。
【００２１】
同特許は主に、自動販売機用カップのスタッカビリティを支援するための外部の二重側壁の逆テーパ形部分を教示するが、同特許は、中央カップ部分の底壁を下方に通り過ぎて延在する逆テーパ形外部二重側壁を備えたカップを開示するものである。同特許は、前処理されたフラットシートからのカップの熱成形に基づいて記載されているので、示されているこのカップのイメージは、教示のように製造可能である可能性が低い。というのも、熱及び圧力の印加下で一部の領域では熱延伸し（中央カップ領域）、なおかつ厳密に同時に他の領域（逆テーパ形の外部壁）では熱収縮できる公知の熱可塑性樹脂は無いからである。そのような熱可塑性樹脂が存在したとしても、逆テーパ形の外部二重側壁は図示のように均一な壁厚にはなり得ず、むしろ大きく漸変する壁厚を有し、径方向の直径が減少していくのとは逆に壁厚が増大していき、カップの飲み口リップに隣接する場所ではより薄く、底部エッジではより厚くなる。
【００２２】
このカップをフラットシートから熱成形する教示の方法を達成できると認められたこの可能性の低い事象では、その結果得られるカップは、量産される容器としては高コストとなる。というのも、熱成形そのものは超薄のカップ壁を形成することができず、逆テーパ形外部二重側壁の漸変する壁厚は、最終的なカップ空重量に大きな影響を及ぼし、これによってカップ単価に大きな影響を及ぼすからである。一例として、熱成形によって形成されたファストフード用途のための一重壁５００ｍｌカップの典型的な壁厚は０．３５ｍｍのオーダであり、その典型的なカップ空重量は１３ｇのオーダである。初期のフラットシートから収縮成形によって成形された一体不可分の逆テーパ形外部二重側壁が追加されることにより、可能性のあるカップ空重量は少なくとも、現在の典型的なカップ重量の２倍になる。
【００２３】
米国特許第３９６９０６０号明細書は、熱可塑性材料の筒形スラグの変形に基づいてボトルをブロー成形する方法を記載している。このスラグは、開口端を１つのみ有する筒形状であり、別個の射出成形工程で製造される。その後の射出成形工程とは別個の時期に、筒形スラグの温度が熱軟化域になるが典型的にはその熱可塑性樹脂の融点を十分に下回るように筒形のスラグを熱調整し、その所望温度に熱調整された後は、伸長性で外部金型キャビティセットのキャビティ形態をとることにより完成したボトル製品が形成されるように、機械的圧力及び／又は気体圧力をかけて筒形スラグを外側に膨張させる。
【００２４】
最初に教示されたのは１９７６年頃であったこのプロセスは、薄壁のボトルの製造に革命を起こした。熱可塑性樹脂を熱成形のために常温より高くしなければならない場合には、その後、熱可塑性樹脂を冷却して成形後のほぼ常温に戻す必要もあり、この加熱時間と冷却時間とが全体の製造速度に影響を及ぼし、よって製品単価に影響を及ぼす。熱可塑性樹脂の融点より十分低い温度でブロー成形することにより、加熱時間及び冷却時間は押出ブロー成形と比較して大きく短縮し、これによって全体の製造速度が大きく増大する。その上、熱可塑性樹脂は典型的には、融点を下回る場合の方がより均一に延伸するので、このプロセスの出現によって著しく薄壁のボトルの高信頼性の製造が可能になった。追加の利点として、仕上がった製品の壁が薄いほど、より迅速に製品を冷却してほぼ常温に戻すことができる。
【００２５】
「延伸ブロー成形」として知られているこのプロセスの出現により、押出ブロー成形のプロセスは、量産されるボトル形状の容器製造を除いて全て消滅した。
【００２６】
米国特許第９３３９９７９号明細書は、熱可塑性材料から単体として熱成形された二重壁遮熱カップであって、内壁と外壁との間の部分的な離隔を維持する少なくとも１つのリブを有し、密閉された断熱スペースを有する形成後のカップを備えた二重壁遮熱カップを教示している。カップ形成プロセス自体については「熱成形」との言及以外の教示が無いが、同特許は、二重壁の遮熱カップが第１及び第２の開口端を有する筒から形成されており、熱及び圧力を加えて外部金型を適用することにより形成される旨を開示しており、約０．３５ｍｍの壁厚を有する形成後のカップを教示している。
【００２７】
熱軟化した（しかし溶解していない）熱可塑性樹脂が径方向及び長手方向において金型キャビティ内にブロー成形される場合、ガス圧の印加下で樹脂がどの程度の距離まで高信頼性で延伸できるかに関して実用上の限界が存在することが当業者に周知であり、実用上のブロー比の限界は、ブロー成形前の初期の筒形ブランクとブロー成形後の完成した製品との間の３倍の膨張比になると考えられている。また、熱軟化した熱可塑性樹脂をブロー成形する前に、これを機械的に長手方向に、典型的には３倍を格段に上回る比で延伸することができることも、当業者に周知である。熱軟化した熱可塑性樹脂の機械的延伸を行った後にブロー成形を行うというこの組み合わせが、現在の薄壁容器製造の基礎となっている。
【００２８】
非常に薄壁の容器製造を達成するためには、典型的には熱成形よりも延伸ブロー成形の方が使用されている。ブロー成形された容器内への筒形ブランクの延伸ブロー成形は、
・長手方向における機械的延伸（ここでは長手方向延伸比ＬＳとして定義されており、ここではＬ１／Ｌ０として計算される。同式においてＬ１は筒形ブランク延伸長さであり、Ｌ０は筒形ブランク初期長さである。）と、
・長手方向及び／又は径方向におけるガス圧延伸（ここでは径方向延伸比ＲＳとして定義され、ここではＲ１／Ｒ０として計算される。ここで、Ｒ１は圧力延伸後の任意の点における周長であり、Ｒ０は各初期筒形ブランク周長である。）との組み合わせである
・ＲＳｍａｘはここでは、筒形ブランクの長さ方向に沿ってのＲＳの最大値として定義される
・その後、これら２つの比を組み合わせて、ＲＳ／ＬＳとして計算される全体の延伸ブロー金型比ＲＬとすることができる。ここでＲＬｍａｘは、筒形ブランクに沿った方向における任意の点で計算され得る最大ＲＬであり、ここではＲＳｍａｘ／ＬＳとして計算される。
【００２９】
主に熱可塑性樹脂の物理的特性の制約に起因して、ＲＳｍａｘが３を大きく超えると、典型的には容器破壊がブロー成形中に生じ、機械的延伸がある場合には、ＬＳは常に１より大きくなる。よって、非常に薄壁の容器の実現可能なブロー成形を達成するためには、ＲＬｍａｘが典型的には３を超えてはならない。
【００３０】
米国特許第９３３９９７９号明細書では、熱軟化した筒形ブランクの機械的延伸をブロー成形の前に行う旨の教示が無い。よって、教示されているところによれば、ＬＳ比は１である。開示されている図面では、筒形ブランクの周（カップの２つの底壁に筒形のピンチ点によって示されている）は、ブロー成形後のカップ製品の最大周（一体不可分に形成された２つのカップ形状間の移行領域）と比較して３を大きく上回るＲＳｍａｘを示している。よって、教示されている二重カップ形態をブロー成形することは、最善でも、ＲＳｍａｘ及びＲＬｍａｘの双方が３を大きく超えることに起因して非常に非実用的となり、高確率で破壊することなくブロー成形可能であったとしても、その結果得られる形成後の製品は、図示されているように均一な壁厚を有しなくなり得ることが、当業者に明らかとなり得る。例えば移行領域等、薄壁の特性を示し得る領域もあるが、例えば底部及び隣の側壁等の他の領域は事実上、薄壁とはかけ離れる可能性が極めて高い。
【００３１】
米国特許第９３３９９７９号明細書が、約０．３５ｍｍの壁厚を有するブロー成形されたカップを記載していることのみを考慮すると、教示されている二重壁遮熱カップは、同等の体積容量の既存の熱成形された一重壁カップの少なくとも２倍の重量になり得るので、量産される容器としては商業的に高コストとなり得る。
【００３２】
ＰＣＴ／ＩＢ２０１７／０５６５５８には、一体不可分に結合されている隣り合った２つの容器であって、当該容器間にエアギャップを設けて同一方向に延在する２つの容器の構造を有する二重壁容器の製造方法が教示されており、第２の容器の反転は、デュアル容器形状のキャビティ形態を有する第２の金型の内部に完全に閉じ込められた状態で行われる。
【００３３】
同文献にて教示されている反転プロセスは、反転を行う間に第１の容器及び第２のより小さい容器の内側の安定制御の手段として、大気を上回る圧力を印加するが、デュアル容器形状の形態を有する第２の金型を用いることにより、反転前及び反転中に第２のより小さい容器の金型キャビティ壁の少なくとも一部が当該第２のより小さい容器の外壁に隣接し得る。
【００３４】
反転前及び反転中に第２のより小さい容器と第２の金型キャビティ壁とがこのように近接すると、反転された第２の容器の壁が材料の弾性限界を超え、これにより壁の損傷が生じ得る。
【００３５】
本発明の課題は、一体不可分に結合されている隣り合った２つの容器であって、当該２つの容器間にエアギャップを有し単体として形成された２つの容器の構造を有する一体不可分の二重壁容器の形成に係る欠点の一部を、量産される薄壁容器として商業的に実用可能となるように解消することである。
【発明の概要】
【００３６】
本発明の第１の側面では、一体不可分に結合されている隣り合った２つの容器であって、同一方向に延在し当該容器間にエアギャップを有する２つの容器の構造を有する二重壁容器を製造するための量産に適した方法及び装置を提供し、二重壁容器は熱可塑性材料から単体として延伸ブロー成形される。最初に、少なくとも１つの開口端を有する熱可塑性の筒形ブランクを形成する。その際には、延伸ブロー成形される一体不可分の二重壁容器及び筒形ブランク双方の壁厚を最小限にするため、筒形ブランクのＲＳｍａｘを実質的に３以下とする。筒形ブランクがその融点を下回ることによって硬化するように、筒形ブランクは十分に冷却できるようになる。次に、筒形ブランクを、熱可塑性材料の熱軟化温度域内であるが融点を下回る第１の熱調整温度に熱調整する。熱調整した後、１を大きく上回るＬＳで筒形ブランクを長手軸方向に機械的に延伸し、ＲＬｍａｘが３未満、好適には１以下のオーダとなるように、筒形ブランクをガス圧によって外側にブロー成形する。長手方向の機械的延伸と、長手方向及び／又は径方向に一致しかつ延伸的にガス圧延伸を行うこととの組み合わせは、第１の容器及び一体不可分に結合されたより小さい第２の容器との構造を有する延伸ブロー成形された一体不可分のデュアル容器であって、第１の容器と第２のより小さい容器とが互いに逆方向に延在するデュアル容器を中間製品として形成するため、第１のデュアル容器形状の金型キャビティセットの形状に筒形ブランクが合わせることを前提とする。次に、延伸ブロー成形された第２のより小さい容器を熱調整するために、さらなる熱調整を適用し、有利であると認められる場合には、第１の容器の少なくとも一部を第２の熱調整温度に熱調整する。この第２の熱調整温度は、必要に応じて加熱及び／又は冷却を含む温度域とすることができる。その後、第２のより小さい容器が、第１の容器と同一方向かつ第１の容器の内側に延在するように第１の容器を実質的に鏡像反転した第２のより小さい容器となるように、第２のより小さい容器の（１つ又は複数の）側壁を少なくとも部分的に表裏反転することができると同時に、第２のより小さい容器の底壁の少なくとも大部分が裏返らないようにするため、少なくとも１つの成形された反転ピストンと、第２の容器形状の金型キャビティセットとを、１つ又は複数の壁安定装置と共に設ける。この壁安定装置は、２つの一体不可分に結合されている延伸ブロー成形された容器の一方又は双方の（１つ又は複数の）壁表面の少なくとも一部に適用されるものである。
【００３７】
代替的に、第２のより小さい容器を手動で裏返すこともできる。
【００３８】
筒形ブランクは開口端を１つのみ有することが可能であり、その際には、第１のデュアル容器形状の金型キャビティセットは少なくとも２つの別個のデュアル容器形状の金型キャビティ半部を有することができ、これらの金型キャビティ半部はそれぞれ、開口部、（１つ又は複数の）側壁、及び部分的に閉じた底壁を有する第１の容器キャビティ凹部を備えることができ、これらの金型キャビティ半部は全て、小径の壁剛性機構及び／又は少なくとも部分的なエアギャップ密閉機構を有することができ、金型キャビティ半部はさらにそれぞれ、開口部、（１つ又は複数の）側壁、及び完全に閉じた底壁を有する第２のより小さい容器形状のキャビティ凹部を備えることができ、金型キャビティ半部は全て、小径の壁剛性機構及び／又は少なくとも部分的なエアギャップ密閉機構を有することができ、これら２つの容器形状のキャビティ凹部は互いに逆方向に延在し、一体不可分に結合されている。
【００３９】
筒形ブランクは第１の開口端と第２の開口端とを有することができ、その際には、第１のデュアル容器形状の金型キャビティセットは代替的に、開口部、（１つ又は複数の）側壁、及び部分的に閉じられた底壁を有する第１の容器キャビティ凹部を有し、第１のデュアル容器形状の金型キャビティセットは全て、小径の壁剛性機構及び／又は少なくとも部分的なエアギャップ密閉機構を有することができ、第１のデュアル容器形状の金型キャビティセットはさらに、開口部、（１つ又は複数の）側壁、及び部分的に閉じられた底壁を有する第２のより小さい容器キャビティ凹部を有することができ、第１のデュアル容器形状の金型キャビティセットは全て、小径の壁剛性機構及び／又は少なくとも部分的なエアギャップ密閉機構を有することができ、これら２つの容器形状のキャビティ凹部は、互いに逆方向に延在し、一体不可分に結合されている。
【００４０】
筒形ブランクの形態如何にかかわらず、第２の容器形状の金型キャビティセットは２つの別個のデュアル容器形状の金型キャビティ半部を有するデュアル容器形状の構成を有することができ、これら２つの金型キャビティ半部はそれぞれ、少なくとも１つの成形された反転ピストン凹部と、開口部、（１つ又は複数の）側壁、及び部分的に閉じられた底壁を有する第１の容器キャビティ凹部とを有することができ、これら２つの金型キャビティ半部は全て、小径の壁剛性機構及び／又は少なくとも部分的なエアギャップ密閉機構を有することができ、２つの金型キャビティ半部はさらにそれぞれ、開口部、（１つ又は複数の）側壁、及び部分的に閉じられた底壁を有する第２のより小さい容器形状のキャビティ凹部を有することができ、これら２つの金型キャビティ半部は全て、小径の壁剛性機構及び／又は少なくとも部分的なエアギャップ密閉機構を有することができ、これら２つの容器形状のキャビティ凹部は、互いに逆方向に延在し、一体不可分に結合されており、延伸ブロー成形された第１の容器及び／又は第２のより小さい容器の熱調整を行うための１つ又は複数の装置を備えることができ、また、少なくとも１つの大気未満圧力源に接続される通路を有することができる。
【００４１】
また、第２の容器形状の金型キャビティセットは、２つの別個の一重容器形状の金型キャビティ半部を有する一重容器形状の形態を有することもでき、これらの金型キャビティは、開口部、（１つ又は複数の）側壁、及び部分的に閉じた底壁を有する第１の容器キャビティ凹部を備えることができ、また、小径の壁剛性機構及び／又は少なくとも部分的なエアギャップ密閉機構、延伸ブロー成形された第１の容器及び／又は第２のより小さい容器の熱調整を行うための１つ又は複数の装置、並びに少なくとも１つの大気未満圧力源に接続される通路を備えることができる。
【００４２】
第１の容器及び／又は第２のより小さい容器の熱調整は、第１の容器及び／又は第２のより小さい容器のいずれか１つ又は複数の場所における昇温及び／又は降温を用いるものとすることができる。
【００４３】
ブロー段階前の機械的延伸段階のＬＳが１を大きく上回ることと、筒形ブランクのＲＳｍａｘが実質的に３以下であることと、第２のより小さい容器の反転が（１つ又は複数の）壁安定装置及び（１つ又は複数の）成形された反転ピストンによって支援されることとの組み合わせにより、２つの一体不可分に結合されている隣り合った容器であって同一方向に延在し当該容器間にエアギャップを有する構造を備えた一体不可分の二重壁容器を、量産に適した単体として形成することができる。このようにして形成されたエアギャップは、部分的に密閉することができ、又は開放したエアギャップとすることができる。
【００４４】
任意のシーケンス時点に追加の製造ステップを追加することができ、これには以下のものが含まれるが、以下のものに限定されない：
・（１つ又は複数の）壁安定装置と（１つ又は複数の）成形された反転ピストンとを使用して、反転された第２のより小さい容器の側壁長を伸張性に延伸すること
・一体不可分に結合されたいずれかの容器及び／又は筒形ブランクの任意の１つ又は複数の一部分を、何らかの理由により任意の手法によって切除すること
・いずれかの部分的に閉じられた底壁を任意の手法によって、完全に閉じられた底壁に変換し、これによって、完全に閉じられたエアギャップを形成することができる
・いずれかの一体不可分に結合された容器の任意の構成又は壁区域を何らかの理由により任意の方法によってさらに反転し、これによって、部分的又は完全に閉じられたエアギャップを形成することができる
・何らかの理由により任意の手法によっていずれかの一体不可分に結合された容器を構成するために任意の形状又は形態の１つ又は複数の追加の部分を追加することにより、部分的又は完全に閉じられたエアギャップを形成することができる
・断熱改善を含めた何らかの理由により、及び／又はユーザインタラクティブ構成の一部として、任意の手法によって任意の形態、特性又は性質の１つ又は複数の追加の材料をエアギャップ内に追加すること
・反転した第２のより小さい容器がその最終設計形状／形態を完全にとることを保証するための追加の成形／形成手法を適用すること
・いずれかの一体不可分に結合された容器の任意の表面上に任意の手法により印刷すること。
【００４５】
熱調整された筒形ブランクを第１のデュアル容器形状の金型キャビティセットに延伸的に一致させるためにこの筒形ブランクは機械的及び／又はガス圧力装置によって延伸されるので、少なくとも１つ又は複数の場所において筒形ブランクは、
・機械的に延伸できるようにするために十分に機械的に狭持されなければならず、また、
・ガス圧を筒形ブランクの内部にかけることができるように十分に密閉性に狭持されなければならない。
【００４６】
全ての筒形ブランク開口端は機械的狭持機構を備えることができ、少なくとも１つの筒形ブランク開口端は密閉狭持機構を有することができる。典型的には、筒形ブランクの少なくとも１つの開口端が実質的に丸形となる。というのもこれは、機械的取付け及び密閉取付けの双方のために最も確実かつ効率的な形態を提供するからである。しかし（１つ又は複数の）開口端とは異なり、筒形ブランクの周面形状は、幾何学的並びに／若しくは非幾何学的形態の任意の組み合わせ、又は、設計によって意図された、最終的なブロー成形容器形状による筒形ブランク膨張に対する周の１つ若しくは複数の任意の相対的変化とすることができる。
【００４７】
筒形ブランクが第１のデュアル容器形状のキャビティセット内に延伸的にブロー成形される場合には、ブロー比が大きくなるほど、ブロー直後の状態の容器壁厚を均一にすることが困難になり得る。当業者に自明であるように、容器の主要部を延伸ブロー成形する元となる筒形ブランクの実質的に中央の領域において、実質的に均一のブロー成形が典型的には達成されるので、このゾーンにおいてかなり均一な容器壁厚を容易に達成することができる。しかし、典型的には開口部及び底壁となる筒形ブランクの端部ゾーンでは、ブロー比が大きくなると、換言すると初期の筒形ブランクのサイズが最終的な容器サイズと比較して小さいほど、容器の一致領域において実質的に均一な壁厚を達成することが困難になる。よって、典型的には筒形ブランクのサイズが最終的な容器サイズを大きく下回る場合には、容器開口部及び容器底部付近の壁区域が厚くなり、容器の中間部の壁区域は薄くなる。
【００４８】
多数のボトルアイテムを製造する際には、このことは問題にならないが、量産される容器の場合、壁厚均一性の欠如は直接材料廃棄となるので、製品単価が商業的に高くなる。
【００４９】
筒形ブランクのＲＳｍａｘが設計により実質的に３以下になることを保証することにより、
・筒形ブランクの可能な壁厚は、延伸ブロー成形される最終的な容器と比較して極薄になり、
・これによって、筒形ブランク壁厚は機械的延伸段階を用いてさらに薄くなり、
・延伸ブロー成形段階が開始すると、筒形ブランクは外側に向かって可能な限り均一に延伸する。
【００５０】
本願にて教示されている筒形ブランク設計、処理装置及び製造ステップの結果として、実用可能な壁厚が極薄であり壁厚均一度が高い一体不可分の二重壁容器を延伸ブロー成形することが可能になり、これによって、量産に非常に適した一体不可分の二重壁容器を形成することができる。その目的は、延伸ブロー成形方法及び装置が、０．３５ｍｍを大きく下回り好適には０．１０〜０．３０ｍｍの間の非常に均一な平均壁厚を達成することである。
【００５１】
熱可塑性樹脂のコスト及び再利用が容易であることを要因として、この方法及び装置に使用される好適な熱可塑性樹脂はポリプロピレン（ＰＰ）であるが、一体不可分の二重壁容器固有の市場用途に依存して、あらゆる適切な熱可塑性樹脂も同様に使用することができる。
【００５２】
本方法及び本装置に使用される熱可塑性樹脂は、石油系又は生物系、透明／透光性、半透明又は不透明、熱可塑性樹脂本来の樹脂色、又は用途に適した任意の一色若しくは複数色の任意の組み合わせ、単一種類の樹脂又は複数種類の樹脂のブレンド、又はこれらの任意の組み合わせとすることができる。
【００５３】
第１の熱調整温度及び第２の熱調整温度への熱調整は、
・例えば筒形ブランク及び／又は一体不可分のデュアル容器が一体不可分二重壁容器形成シーケンス内の任意の関連する段階から離れて形成されるため、加熱して熱調整温度に上げなければならない場合には昇温とし、
・例えば筒形ブランク及び／又は一体不可分デュアル容器が一体不可分二重壁容器形成シーケンス内の任意の関連する段階に隣接して若しくは統合的に形成されるため、冷却して熱調整温度に下げなければならない場合には降温とし、又は、
・これらの任意の組み合わせ、
とすることができる。
【００５４】
好適には、第１の熱調整温度は８０〜１００℃のオーダであり、第２の熱調整温度は、加熱を要する場合には６０〜１００℃のオーダ、及び／又は、冷却を要する場合には０〜２０℃のオーダである。第１の熱調整温度は第２の熱調整温度と等しくすることができ、又は双方の熱調整温度が異なる熱調整温度を有することができる。
【００５５】
熱調整は、昇温又は降温のいずれであっても、どの１つ又は複数の装置パーツ又はサブパーツにも同様に適用することができ、例えば単なる例として：
・筒形ブランクが延伸して第１のデュアル容器形状の金型キャビティセットの形状に一致した後、ブロー成形された一体不可分のデュアル容器を実質的に常温に戻すことを支援するための、１つの金型キャビティセットの１つ又は複数の領域への冷却の適用、
・機械的延伸段階中及び／又はガス圧ブロー成形段階中に薄壁の筒形ブランクの破壊を引き起こし得る機械的延伸装置の発熱を相殺するための、機械的延伸装置への冷却の適用。
【００５６】
ガス圧ブロー成形は、長手方向の機械的延伸の完了後に開始することができ、又は、ガス圧ブロー成形は長手方向の機械的延伸の完了前に開始することができる。
【００５７】
容器が非常に薄い壁と高度な壁厚均一性で形成される場合、最終的な容器の構造強度が問題となり得る。例えば、典型的には径方向に大きい曲率半径を示し長手方向には実質的に直線形状である円錐形のカップ壁又は真っ直ぐな側面のボトル壁を有する場合等、容器構造において曲面又は円筒形の壁形状が幾何学的に簡単であるほど、典型的には壁剛性が低くなり、これによって容器の剛性が低くなる。
【００５８】
熱可塑性樹脂の選定によって壁剛性を支援することはできるが、典型的には、例えばＰＰ等の一体不可分二重壁容器用の比較的適用可能な熱可塑性樹脂は、剛性が高いというより低い。製造単価に影響を与えずに壁剛性を増大させる１つの手法は、完成後の製品壁部分の設計に追加の小径の形状又は形態を径方向及び／又は長手方向に導入することである。
【００５９】
第２のより小さい容器に関しては、第１の容器に対して逆方向に延在する当該容器の延伸ブロー成形位置から第１の容器と同一方向かつ第１の容器内に延在する実質的な鏡像位置に当該容器を反転するための要件は、簡単な大径の壁を優先的に要する。というのも、熱軟化状態であっても幾何学的形状／形態が複雑であるほど反転の困難さが大きくなることを考慮して、かかる壁形状は（例えばプラスチックのコンタクトレンズの反転のように）容易に反転できるからである。よって、第２のより小さい容器キャビティ凹部では、円錐形状、円筒形状、又は大径の材料曲面キャビティ壁が好適である。このことは、反転された第２のより小さい容器が比較的低い剛性を示すことになり得るが、第２のより小さい容器は一体不可分の二重壁容器構造の内部容器となるので、その主な機能は液体／固体の内容物を保持することであるから、例えばバッグ・イン・ボックス容器のバッグ等の同等の形態の容器のように、剛性の重要度は低くなる。
【００６０】
第１の容器に関しては、典型的にはこの容器を反転する必要はなく、これも例えばバッグ・イン・ボックス容器におけるボックス等の同等の形態の容器と比較して一体不可分の二重壁容器構造の外部容器の主な機能は構造強度であるから、優先的には第１の容器キャビティ凹部が、延伸ブロー成形された一体不可分の二重壁容器における薄壁剛性を最大限にする手段として複雑な小径のキャビティ壁構成を備えることができる。
【００６１】
一体不可分に結合されている隣り合った容器間のエアギャップの重要な目的は、例えばコーヒーカップの場合のように容器内容物の高温を維持することと、例えばファストフードカップ及び容器の場合のように容器内容物の低温維持との双方のために、断熱を提供することである。しかし、高温及び低温の飲料は典型的には比較的迅速に消費されるので、典型的には、エアギャップが断熱層として有効に働くための完全に閉じられ密閉されたエアギャップは不要である。
【００６２】
従来技術において教示されているところの「完全に閉じられた」との文言は、一体不可分の二重壁容器が２つの完全に閉じられた底壁を有しなければならないことを前提とするが、容器がユーザの手に持たれていない場合には、一体不可分の二重壁容器は典型的には実質的に平坦な面上に立てられるか、又は輸送箱若しくはトレイに保持され、それ自体としては典型的には、一体不可分の二重壁容器のベースの下方かつこれに直接隣接する少なくとも実質的に平坦かつ完全に別個の面が存在するので、代理として第１の容器の完全に閉じられた底壁として有効に作用する。よって第１の容器には、部分的に閉じられた底壁のみを有する小さい下面が存在するのが典型的である。
【００６３】
ここで教示されている方法及び装置の結果として形成される最も簡単な形態の一体不可分の二重壁容器は、開放したエアギャップを形成するが、とりわけ一体不可分の二重壁容器全体の構造完全性及び断熱改善の理由により、少なくとも部分的に閉じられた、特に第１の容器の部分的に閉じられた底壁に隣接するエアギャップを有することが合理的である。既に説明したように、一体不可分の二重壁容器は、反転された第２のより小さい容器はバッグとして供され、第１の容器はボックスとして供されるバッグ・イン・ボックス容器の形態に類似するものである。反転された第２のより小さい容器は典型的には薄壁であり、何らかの追加的な壁剛性機構があるとしても僅かしか有しないので、この第２のより小さい容器である「バッグ」内に液体／固体内容物が入れられると、バッグが自由に第１の容器である「ボックス」に対して逆に動くおそれがある。この動きによって構造的欠陥は何ら生じることはないが、かかる相対的な動きは、最低でもユーザに対して不安定となり得る。
【００６４】
第１のデュアル容器形状の金型キャビティセットに少なくとも１つ又は複数の複雑な小径のキャビティ壁構成を、（１つ又は複数の）第１の容器キャビティ凹部壁の内側に延在する急峻／小径の変化の形態で組み込むことにより、反転された第２のより小さい容器における第１の容器に対するいかなる動きも最小限にすることができ、これによって全体の構造完全性を増加することができる。（１つ又は複数の）第１の容器キャビティ凹部壁において内側に向かって延在する急峻／小径の変化の形態のこの少なくとも１つ又は複数の複雑な小径のキャビティ壁構成により、少なくとも部分的又は係合的に任意の１つ又は複数の場所で、第１の容器はその反転された隣の第２のより小さい容器と接触することができる。
【００６５】
（１つ又は複数の）第１の容器キャビティ凹部壁における内側に向かって延在する急峻／小径の曲率の変化の形態のかかる１つ又は複数の複雑な小径のキャビティ壁構成も、少なくとも部分的又は完全に閉じられたエアギャップ密閉を達成するために、完成した一体不可分の二重壁容器内のエアギャップ制限を提供するために使用することができる。
【００６６】
この反転プロセス中は、第２のより小さい容器の底壁の少なくとも一部分は必ずしも反転する必要がないので、第２のより小さい容器底壁に対応するキャビティ凹部も、急峻／小径の曲率のキャビティ凹部変化の形態の少なくとも１つ又は複数の複雑な小径のキャビティ壁構成を有することができ、これは、一体不可分の二重壁容器構造において隣り合った一体不可分の容器間の動きを低減するさらなる手段として、及び／又は、エアギャップ制限を提供するさらなる手段として供することができる。
【００６７】
延伸ブロー成形された一体不可分の二重壁容器においてかかる有利な壁構成を形成するため、第１のデュアル容器形状の金型キャビティセットは、
・キャビティ壁形状及び／又は形態の径方向及び／又は長手方向又はこれらの間の任意の角度方向における１つ又は複数の急峻／小径の変化、
・任意のキャビティ壁の平均表面から内側及び／又は外側に向かって任意の距離に延在する、キャビティ壁形状及び／又は形態の１つ又は複数の急峻／小径の変化（abrupt/small-radius change）、
・形状及び／又は形態の任意の方向における連続的及び／又は不連続的な急峻／小径の変化、
・第１の容器キャビティ壁から内側に向かって延在する場合、設計によって、最終的な一体不可分の二重壁容器構造的形態になったときに互いに同一方向に延在する延伸ブロー成形された第１の容器とその反転した第２の容器とが、いずれかの１つ又は複数の場所において接触的にコンタクトし、係合的にコンタクトし、又はコンタクトし得ない距離に延在すること、又は、
・これらの任意の組み合わせ
を含むが、決してこれらに限定されない。
【００６８】
複雑な小径の金型キャビティ壁構成の例には、
・キャビティ壁の一部としてのロゴ、グラフィックスデザイン、レタリング、又は販売促進用情報等の任意の形態、
・キャビティ壁の一部としての任意の幾何学的又は非幾何学的な形状又は形態、
・形成されるリッジを典型とするキャビティ壁高さの任意の急峻な変化、
・同一平面の実質的に元のキャビティ壁高さに等しい急峻さで戻る、キャビティリブ又はキャビティ通路を典型とするキャビティ壁高さの任意の急峻な変化、
・キャビティ壁の一部としての任意の種類の凸状又は凹状のねじ形態、
・これらの組み合わせ、又は、
・当業者に容易に明らかとなる急峻／小径の変化の形態の複雑な幾何学的キャビティ壁構成
が含まれるが、決してこれらに限定されない。
【００６９】
さらに、第１の容器の（１つ又は複数の）キャビティ凹部壁の内側に延在する急峻／小径の壁変化（abrupt／small-radius wall change）の形態で１つ又は複数のユーザインタラクティブ壁構成を第１のデュアル容器形状の金型キャビティセットに組み込むことにより、反転一致するユーザインタラクティブ構成を、完成後の一体不可分の二重壁容器に組み込むことができる。
【００７０】
第１の容器の壁にこのように形成されるかかるユーザインタラクティブ構成には、
・任意の形態の内側に延在する湾曲した若しくは螺旋ねじ状の壁等、
・実質的に直角に内側に延在する壁方向変化等、
・相互接続する内側に延在する複数の壁等、
・複数の内側に延在する隣り合った壁等、
・これらの組み合わせ、又は、
・当業者に容易に明らかとなる任意のユーザインタラクティブな内側に延在する壁構成
が含まれ得るが、決してこれらに限定されない。
【００７１】
第１の容器と、反転された第２のより小さい容器との間に形成されるエアギャップは、最終的な形成後の物品のユーザインタラクティブ構成の一体不可分の一部としても使用することができ、これには、
・１つ若しくは複数のボール状の物及び／若しくはエアギャップ空間内で動くことができる任意の他の代替形状の物を追加することによりインタラクティブな迷路状構造を形成すること、
・エアギャップ内に挿入され若しくは浮遊する１つ若しくは複数の任意の追加のインタラクティブ構成要素の上方、下方、前方又は後方移動を導き出すための駆動手段であって、完成後の一体不可分の二重壁容器をユーザが動かすことのみによる駆動手段等の一部として、
・エアギャップ内に挿入された１つ若しくは複数の任意の追加のインタラクティブ構成要素の上方、下方、前方又は後方移動を導き出すための駆動手段であって、エアギャップに挿入された１つ若しくは複数の追加のインタラクティブ構成要素とのユーザの直接接触を含めたユーザインタラクションによるインタラクティブ構成要素運動の一部を形成する駆動手段の一部として、
・これらの任意の組み合わせ、又は、
・当業者に容易に明らかとなる他の任意の一体不可分のインタラクティブ構成
が含まれるが、決してこれらに限定されない。
【００７２】
延伸ブロー成形段階中、開口端を１つのみ有する熱調整された筒形ブランクは、延伸により第１のデュアル容器形状の金型キャビティセットの形状に一致するように、機械的圧力及び／又はガス圧によって外側に膨張する。かかる一体不可分の二重壁容器については、第１のデュアル容器形状の金型キャビティセットは典型的には、以下のものを有する一体不可分の相互接続されたキャビティ凹部を備えるが、これらに決して限定されない：
・筒形ブランクの１つの開口端に機械的及び／又は密閉的係合接続するための大開口の凹部、
・開口部ゾーンと（１つ又は複数の）側壁ゾーンと、部分的に閉じられた底壁ゾーンとを有する係合的に接続され、これらのゾーンは全て任意の目的のために小径のキャビティ壁構成を有し得る第１の容器キャビティ凹部
・開口部ゾーンと（１つ又は複数の）側壁ゾーンと、完全に閉じられた底壁ゾーンとを有する係合的に接続され、これらのゾーンは全て任意の目的のために小径のキャビティ壁構成を有し得る第２のより小さい容器キャビティ凹部
・第１の容器キャビティ凹部と第２のより小さい容器キャビティ凹部とは、互いに逆方向に延在する。
【００７３】
代替的に、延伸ブロー成形段階中、第１及び第２の開口端を有する熱調整された筒形ブランクは、延伸により第１のデュアル容器形状の金型キャビティセットの形状に一致するように、機械的圧力及び／又はガス圧によって外側に膨張する。かかる一体不可分の二重壁容器については、第１のデュアル容器形状の金型キャビティセットは典型的には、以下のものを有する一体不可分の相互接続されたキャビティ凹部を備えるが、決してこれらに限定されない：
・筒形ブランクの第１の開口端と機械的及び／又は密閉的係合接続するための大開口の凹部、
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、部分的に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは互いに逆方向に延在し、
・筒形ブランクの第２の開口端に機械的及び／又は密閉的係合接続するための係合的に接続された大開口凹部。
【００７４】
第２のより小さい容器の反転段階中は、熱調整された第２のより小さい容器は少なくとも部分的に表裏反転される。第２の容器形状の金型キャビティセットは、以下のものを有する一体不可分の相互接続されたキャビティ凹部を典型的に備えるデュアル容器形状の形態とすることができるが、キャビティ凹部は決して以下のものに限定されない：
・第１の容器の部分的に閉じられた底壁に機械的及び／又は密閉的係合接続をするための大開口の凹部、
・開口部ゾーンと（１つ又は複数の）側壁ゾーンと、部分的に閉じられた底壁ゾーンとを有する係合的に接続された第１の容器キャビティ凹部であって、これらのゾーンは全て任意の目的のために小径のキャビティ壁構成を有し得る第１の容器キャビティ凹部、
・開口部ゾーンと（１つ又は複数の）開口部ゾーンと（１つ又は複数の）側壁ゾーンと、部分的に閉じられた底壁ゾーンとを有し、これらのゾーンは全て任意の目的のために小径のキャビティ壁構成を有し得る、係合的に接続された第２のより小さい容器キャビティ凹部、
・第１の容器キャビティ凹部と第２のより小さい容器キャビティ凹部とは、互いに逆方向に延在する、
・第２のより小さい容器底壁ゾーンの一部となる少なくとも１つの係合的に接続された成形された反転ピストン凹部、
・さらに、
・第１の容器及び／又は第２のより小さい容器の温度を上昇及び／又は低下できる少なくとも１つの第１の容器及び／又は第２のより小さい容器用の熱調整装置と、
・少なくとも１つの大気未満圧力源と相互接続するための少なくとも１つの通路と、
を備え得る。
【００７５】
第２のより小さい容器キャビティ凹部は、その対応する第１の容器キャビティ凹部より僅かに小さくすることができ、又は、第２のより小さい容器キャビティ凹部は、その対応する第１の容器キャビティ凹部より著しく小さくすることができる。第２のより小さい容器キャビティ凹部は、その対応する第１の容器キャビティ凹部と実質的に同一の形状／形態を有することができ、又は、第２のより小さい容器キャビティ凹部は、その対応する第１の容器キャビティ凹部とは大きく異なる又は完全に異なる形状／形態を有することができる。
【００７６】
代替的に、第２の容器形状の金型キャビティセットは、以下のものを有する一体不可分の相互接続されたキャビティ凹部を典型的に備える一重容器形状の形態とすることができるが、キャビティ凹部は決して以下のものに限定されない：
・第１の容器の部分的に閉じられた底壁に機械的及び／又は密閉的係合接続をするための大開口の凹部、
・開口部ゾーンと（１つ又は複数の）側壁ゾーンと、部分的に閉じられた底壁ゾーンとを有する係合的に接続され、これらのゾーンは全て任意の目的のために小径のキャビティ壁構成を有し得る第１の容器キャビティ凹部、
・さらに、
・第１の容器及び／又は第２のより小さい容器の温度を上昇及び／又は低下できる少なくとも１つの第１の容器及び／又は第２のより小さい容器用の熱調整装置と、
・少なくとも１つの大気未満圧力源と相互接続するための少なくとも１つの通路と、
を備え得る。
【００７７】
第２の容器形状の金型キャビティセットのキャビティ半部は、互いの正確な鏡像の複製とすることができ、又は、第２の容器形状の金型キャビティセットのキャビティ半部は互いに異なるキャビティ形状／形態とすることができる。
【００７８】
高速製造のために典型的に好適なのは、１つの製造シーケンスの中で低速のステップの数を低減するのではなく、迅速なステップの数を増加することであり、いかなる製造シーケンスに関しても、全体的な製造スループットは典型的には最低速のステップによって定まる。よって、可能な限り最速の製造シーケンスサイクル時間を達成し、これによって製造単価を最小にするために好適なのは、一体不可分の二重壁容器を製造するための方法及び装置が、第１及び第２の容器形状の金型キャビティセットを備えることであるが、当業者に明らかであるように、２つの容器形状の金型キャビティセットの全ての構成及び機能を組み合わせた一重容器形状の金型キャビティセットを使用することもできる。これに代えて、１つの製造シーケンスにおいて２つより多くの容器形状の金型キャビティセットを使用することも可能である。
【００７９】
第２のより小さい容器の最適な反転を保証するためには、反転壁区域と無反転壁区域とが係合的に接続する領域において壁安定性を制御することが重要であり、
・第２のより小さい容器を完全な鏡像位置に完全反転することが望まれる場合には、第２の容器形状の金型キャビティセットにおいて壁安定制御が行われる領域は、第１の容器及び第２のより小さい容器の開口部ゾーン間の接続領域となり、
・第２のより小さい容器を実質的な鏡像位置に部分的に反転することしか望まれていない場合には、第２の容器形状の金型キャビティセットにおいて壁安定制御が行われる領域は、形成すべき最終的な一体不可分の二重壁容器形状に関して設計上必要とみなされる場所であればどの場所でもよい。
【００８０】
壁安定制御される領域が第２の容器形状の金型キャビティセットのどこに位置するかにかかわらず、
・最初に、第２のより小さい容器の底壁が少なくとも実質的に反転されずに留まって、まずは長手軸方向に開口部に向かって動くように、少なくとも１つの成形された反転ピストンを用いて第２のより小さい容器の底壁に反転するように押し付け、
・次に、（１つ又は複数の）側壁の底壁側端部から開始して当該（１つ又は複数の）側壁の開口部側端部に向かって徐々に当該（１つ又は複数の）側壁を適正に反転し、
・最後に、開口部の反転又は設計上最後に反転を行うべき他のいずれかの場所の反転を行って終了する、
反転プロセスによって第２のより小さい容器を適正に反転するために重要なのは、関連する延伸ブロー成形された１つ又は複数の壁領域を物理的に可能な限り安定状態に維持することである。
【００８１】
成形された反転ピストンは、平坦な押し面から、最終的な内側反転された壁形状に一致する完全な成形された形状に及ぶ反転を支援するために必要な任意の形状／形態を有することができる。
【００８２】
成形された反転ピストンの好適な形状は、形成される物品の内表面形態を決定する外表面形態を有するオス金型部材である。
【００８３】
オス金型部材の表面形態は、円錐、凸形、凹形及び／若しくは任意の他の形態、又はこれらの形態の組み合わせとすることができる。
【００８４】
好適な成形された反転ピストンが、形成される物品の内表面を決定するので、反転された後は、この形成される物品の内表面形態は、成形された反転ピストンの外表面形態と符合するように係合し、これにより、成形された反転ピストンを形成後の物品内における位置から引き抜くためには、１つ又は複数の引張り支援手段を要することとすることができる。かかる引抜支援手段は幾つもが当業者に周知であり、典型的には「取出機構」と称される。
【００８５】
引抜きの際の好適な取出機構は、符合係合領域へ供給される圧縮空気及び／又は他の形態の機械的取出機構である。
【００８６】
成形された反転ピストンの外表面形態と形成中の物品の内表面形態との符合係合を解除するのを支援する手段としての取出しプロセス中に重要なのは、反転中の第２のより小さい容器の形状、形態又は安定性に影響を及ぼさないことである。こうするためには、１つ又は複数の取出機構を適用している間に反転中の第２のより小さい容器に安定性を与えるため、少なくとも１つの反転第２容器安定装置を使用することができる。
【００８７】
成形された反転ピストンには、形成されている物品の内表面形態を決定する結果として、形成されている物品に残留する何らかの残留熱調整と相俟って、発熱の傾向があり得る。
かかる発熱を相殺するため、当業者に知られている１つ又は複数の形態の冷却手段を、成形された反転ピストン内に及び／又は隣に組み込むことができる。
【００８８】
第２の容器形状の金型キャビティセット内の壁安定制御装置は、
・反転中に大気より高い圧力を延伸ブロー成形された一体不可分のデュアル容器の内部に供給するため、第２の容器形状の金型キャビティセットの内部に大気より高い圧力を印加すること、
・壁安定制御のために必要な１つ又は複数の領域において第２の容器形状の金型キャビティセットを介して、延伸ブロー成形された一体不可分のいずれか１つ又は複数の外側デュアル容器壁表面に大気より低い圧力を印加すること、
・第２の容器形状の金型キャビティセットのいずれか１箇所又は複数個所において冷却を適用すること、
・関連する延伸ブロー成形された一体不可分の内側デュアル容器壁表面に対する機械的な壁安定性を達成するため、第２の容器形状の金型キャビティセットの開口のうち少なくとも１つを使用して、第２の容器形状の金型キャビティセット内部に少なくとも１つのフレキシブル壁表面サポート構造部を挿入すること、及び／又は、反転壁と無反転壁とが交差する位置において望まれる最終的な反転形状／形態の形成を支援するため、上述のような形状／形態の少なくとも１つの頭部形状を有すること、
・これらの組み合わせ、又は、
・当業者に明らかである任意の他の第２の容器形状の金型キャビティセット壁安定制御
を含むが、これらに限定されない。
【００８９】
大気圧より高い空気圧は現在、例えば一体不可分の取手領域を作成するため等、壁反転中に延伸ブロー成形されたボトルによって壁安定制御を行うために使用される。しかし典型的には、ブロー成形されたボトルの総容積に対する壁反転の相対的な体積サイズは小さいので、壁反転の結果として生じるいかなる内部空気圧力差も容易に制御することができる。
【００９０】
しかし一体不可分の二重壁容器構造については、逆方向に延在する延伸ブロー成形された第１の容器及び一体不可分の第２のより小さい容器と、第１の容器と内側反転された第２のより小さい容器とが同一方向に延在する最終的な一体不可分の二重壁容器との間の内部容積の差は大きく、典型的には１０倍以上の容積差になる。高速製造のための要件が、反転を可能な限り迅速に行うことであると仮定すると、これら２つの非常に異なる内部容積間に発生する内部空気圧は、最善のケースでも制御困難となり得る。
【００９１】
反転中に内部空気圧の変化速度が直接制御できる場合には、これは、圧力制御器及び／又はリリーフバルブ等の高速応答の空気圧制御装置によるものとなり得る。しかし、内部空気圧の変化速度が高速応答の空気圧装置の高信頼性で制御する能力を超える場合には、反転装置段は１つ又は複数の別個の圧力チャンバを備えることができ、この圧力チャンバは、延伸ブロー成形された第１の容器及び一体不可分の第２のより小さい容器の組み合わされた内部容積が、当該延伸ブロー成形された第１の容器自体及び一体不可分の第２のより小さい容器自体の内部容積より実質的に大きくなるように、両容器の内部に係合的に相互接続するものである。このようにして、第２のより小さい容器が反転されるときに、反転に起因して生じる延伸ブロー成形された一体不可分の二重壁容器の実質的な内部容積変化によっては、組み合わされた内部容積全体の容積変化は僅かしか生じず、よって、反転中の内部空気圧変化は最小限となることができ、これによって容易に制御可能となる。空気圧制御装置及び／又は１つ若しくは複数の圧力チャンバのいかなる組み合わせも、使用することができる。
【００９２】
反転中に延伸ブロー成形された一体不可分の二重壁容器に係る内部壁表面安定性を達成するため、第２の容器形状の金型キャビティセットの開口のうち少なくとも１つを使用して、第２の容器形状の金型キャビティセット内部に少なくとも１つのフレキシブル表面サポート構造部を挿入することができる。この１つ又は複数のフレキシブル表面サポート構造部を、壁安定性が必要とされる領域において、延伸ブロー成形された一体不可分のデュアル容器の関連する（１つ又は複数の）内部壁表面とバネ性かつ係合的にコンタクトさせるため、１つ又は複数のフレキシブル表面サポート構造部は任意の手法によってバネ付勢されることができる。この１つ又は複数のフレキシブル表面サポート構造部は、反転前又は反転中又は反転後の任意の時点でフレキシブルに挿入され、及び／又はフレキシブルに引き出されることができる。
【００９３】
第２の容器形状の金型キャビティセット内の少なくとも１つのフレキシブルな表面サポート構造部は、設計要件に応じて反転壁と無反転壁との間に移行領域が形成されることを保証するため内側成形部を備えることができる。
【００９４】
１つ又は複数のフレキシブル表面サポート構造部が、反転された二重壁容器の（１つ又は複数の）内側壁表面とバネ性かつ係合的にコンタクトした状態に留まり、かつ、如何なる手法によるかにかかわらず反転された第２のより小さい容器は熱調整された状態に留まる間に、成形された反転ピストンを反転方向にさらに拡張することにより、部分的又は完全に反転された第２のより小さい容器の底壁及び／又は（１つ若しくは複数の）側壁の少なくとも一部を延伸的に長くすることができる。この手段により、部分的又は完全に反転された第２のより小さい容器の内部容積を増大させ、それと同時に第２のより小さい容器の（１つ又は複数の）側壁の壁厚を薄くすることができる。よって、任意の特定の目標容器体積容量については、最終的な一体不可分の二重壁容器の総空重量をさらに低減することができ、これによって製造単価も削減することができる。第２のより小さい容器の壁延伸は、壁反転前、壁反転中及び／又は壁反転後に行うことができる。同一の成形された反転ピストンを使用して壁延伸を行うことができ、又は、別個の成形されたピストンを使用して側壁延伸を行うことができる。
【００９５】
少なくとも１つの部分的に閉じられた底壁を完全に閉じられた底壁に変換するために処理ステップを追加する必要がある場合には、これは、
・任意の適切な材料の追加の底壁の締まり嵌め、
・任意の適切な材料の追加の底壁の接着若しくは溶接、
・実質的に同一の材料の追加の底壁若しくは適切な分子結合特性を有する任意の材料の追加の底壁の被覆成形、
・元の筒形ブランクの一部の熱変形による追加の底壁の形成、
・これらの任意の組み合わせ、又は
・当業者に明らかである追加の底壁の追加
によるものとすることができる。
【００９６】
少なくとも部分的又は完全にエアギャップを閉じるためにさらなる処理ステップを追加する必要がある場合には、これは、
・任意の既存の壁構成の追加の反転、
・任意の形態の溶接プロセス、
・任意の形態の接着プロセス、
・任意の形態の封止材の追加、
・接着ラベルの貼付、
・これらの組み合わせ、又は
・当業者に容易に明らかとなる任意の形態の追加の封止手法
によるものとすることができる。
【００９７】
エアギャップの断熱特性を改善するため、及び／又はエアギャップにユーザインタラクティブ構成を追加するためにさらなる処理ステップを追加する必要がある場合には、これは、製造シーケンスの任意の時点におけるエアギャップへの、
・気体状の材料、
・液状の材料、
・固体状の材料、又は
・これらの任意の組み合わせ
を含めた１つ又は複数の任意の断熱材及び／又は非断熱材の追加によるものとすることができるが、これらに限定されない。
【００９８】
製造の際には、完成した一体不可分の二重壁容器を形成するため、何らかの理由により、筒形ブランクの全部を一体不可分の二重壁容器に完全に成形することができ、又は、１つ又は複数の後処理を用いて筒形ブランクの不所望／不使用の部分を切り取り、及び／又は、任意のブロー成形された壁部分を切り取ることができる。例えば、筒形ブランクの機械的及び／又は密閉的挟持領域は、製造シーケンスのいずれかの時点で少なくともその大部分を切り取ることができる。
【００９９】
任意の装置又は手法によって１つ又は複数の追加の構成、要素、壁又はサブコンポーネントを一体不可分の二重壁容器に取付けにより追加するために、さらなる処理ステップを追加することができる。単なる例として、一体不可分の二重壁容器は、製造シーケンスの任意の時点において
・カップベース、
・カップ取手、
・一体不可分の蓋部分、
・グラスのつる、
・任意の種類の販売促進アイテム、
・これらの任意の組み合わせ、又は、
・当業者に明らかである任意の追加の構成、要素、壁若しくはサブコンポーネント
等を取付けにより追加する処理ステップを有することができる。
【０１００】
反転後に反転された第２のより小さい容器が所望の形状／形態に完全に反転しない場合には、１つ又は複数のさらなる処理ステップが、
・任意の種類の１つ又は複数の成形器、
・内部及び／又は外部の空気圧の印加、
・これらの任意の組み合わせ、又は
・当業者に明らかである任意の形状／成形補正手法若しくは装置
を含めた最終的な反転された形状／形態を改善するための１つ又は複数の別個の装置を利用することができるが、これらに限定されない。
【０１０１】
一体不可分の二重壁容器を形成するための複数の処理ステップは、インライン処理ステップ、隣り合う処理ステップ、若しくは離れた処理ステップとして、又はこれらの任意の組み合わせとすることができる。好適なのは、これらの処理ステップが互いにインライン及び／又は隣り合って行われることである。各処理ステップ及び各装置デバイスは、１つの製造シーケンスの中だけで１回、任意の順序で実施することができ、又は、最も効率的である全体的な製造スループットを達成するために、いずれか１つ若しくは複数の処理ステップ及び／又は装置デバイスを必要に応じて連続的若しくは非連続的に複数回実施することができる。必要に応じて、本願にて教示されている任意の１つ又は複数の処理ステップを共に組み合わせることができ、又は複数のサブステップに分離することができる。
【０１０２】
本願にて教示されている方法及び装置の結果として形成される一体不可分の二重壁容器の主な市場用途には、
・ファストフード及びコーヒー販売店用のカップ及び／又は蓋、
・腐敗性の食品用のボトル又はポトル、
・医薬品、化学物質及び化粧品用のボトル又はポトル、
・ファストフード用の容器、
・任意の市場セクタに対する２次的な包装カップ、ボトル又は容器
が含まれるが、これらに限定されない。
【０１０３】
第１の好適な実施形態では、同一方向に延在する２つの一体不可分に結合されている隣り合った容器であって、当該容器間にエアギャップを有し、熱可塑性材料から単体として延伸ブロー成形された容器の構造を有する、量産に適した二重壁容器を製造するための方法及び装置が開示される。最初に、１つの開口端を有する熱可塑性の筒形ブランクを形成する。その際には、延伸ブロー成形される一体不可分の二重壁容器及び筒形ブランク双方の壁厚を最小限にするため、筒形ブランクのＲＳｍａｘを実質的に３以下とする。筒形ブランクがその融点を下回ることによって硬化するように、筒形ブランクは十分に冷却できるようになる。次に、筒形ブランクを、熱可塑性材料の熱軟化温度域内であるが融点を下回る第１の熱調整温度に熱調整する。熱調整した後、１を大きく上回るＬＳで筒形ブランクを長手軸方向に機械的に延伸し、ＲＬｍａｘが３未満、好適には１以下のオーダとなるように、筒形ブランクをガス圧によって外側にブロー成形する。長手方向の機械的延伸と、長手方向及び／又は径方向に一致しかつ延伸的にガス圧延伸を行うこととの組み合わせは、第１の容器及び一体不可分に結合されたより小さい第２の容器との構造を有する延伸ブロー成形された一体不可分のデュアル容器であって、第１の容器と第２のより小さい容器とが互いに逆方向に延在するデュアル容器を中間製品として形成するため、第１のデュアル容器形状の金型キャビティセットの形状に筒形ブランクが合わせることを前提とする。次に、延伸ブロー成形された第２のより小さい容器を熱調整するために、さらなる熱調整を適用し、有利であると認められる場合には、第１の容器の少なくとも一部を第２の熱調整温度に熱調整する。その後、第２のより小さい容器を、第１の容器と同一方向かつ第１の容器の内側に延在する第１の容器を実質的に鏡像反転した第２のより小さい容器とするため、第２のより小さい容器の（１つ又は複数の）側壁を少なくとも部分的に表裏反転することができると同時に、第２のより小さい容器の底壁の少なくとも大部分が裏返らないようにするため、少なくとも１つの成形された反転ピストンと、第２のデュアル容器形状の金型キャビティセットとを、１つ又は複数の壁安定装置と共に設ける。この壁安定装置は、２つの一体不可分に結合されている延伸ブロー成形された容器の一方又は双方の（１つ又は複数の）壁表面の少なくとも一部に適用されるものである。代替的に、第２のより小さい容器を手動で裏返すこともできる。
【０１０４】
第１のデュアル容器形状の金型キャビティセットは典型的には、以下のものを有する一体不可分の相互接続されたキャビティ凹部を備えているが、決してこれらに限定されない：
・筒形ブランクの１つの開口端に機械的及び／又は密閉的係合接続するための大開口の凹部、
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、完全に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは、互いに逆方向に延在する。
【０１０５】
第２のデュアル容器形状の金型キャビティセットは典型的には、以下のものを有する一体不可分の相互接続されたキャビティ凹部を備えているが、決してこれらに限定されない：
・延伸ブロー成形された第１の容器の部分的に閉じられた底壁に機械的及び／又は密閉的係合接続するための大開口の凹部、
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、部分的に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは、互いに逆方向に延在し、
・第２のより小さい容器底壁ゾーンの一部となる少なくとも１つの係合的に接続された成形された反転ピストン凹部、
・さらに、
・第１の容器及び／又は第２のより小さい容器用の少なくとも１つの熱調整装置と、
・少なくとも１つの大気未満圧力源と相互接続するための少なくとも１つの通路と、
を備え得る。
【０１０６】
ＬＳが１を大きく上回るブロー成形段階の前の機械的延伸段階と、ＲＳｍａｘが実質的に３又は３未満である筒形ブランクと、（１つ又は複数の）壁安定装置及び成形された反転ピストンによって支援される第２のより小さい容器の反転との組み合わせにより、同一方向に延在する２つの一体不可分に結合されている隣り合った容器であって、当該容器間にエアギャップを有する容器の構造を備えた一体不可分の二重壁容器を、量産に適した単体として形成することができる。このようにして形成されたエアギャップは、部分的に密閉されたエアギャップ又は開放したエアギャップとすることができる。
【０１０７】
任意のシーケンス時点において追加の製造ステップを追加することができ、これには、
・（１つ又は複数の）壁安定装置と成形された反転ピストンとを使用して、反転された第２のより小さい容器の側壁長を延伸的に延長する製造ステップ、
・任意の理由により、一体不可分に結合されたいずれかの容器及び／又は筒形ブランクのいずれか１つ又は複数の一部分を任意の手法によって切り取る製造ステップ、
・任意の手法によって任意の部分的に閉じられた底壁を完全に閉じられた底壁に変換することにより、完全に閉じられたエアギャップを形成できる製造ステップ、
・任意の理由により、一体不可分に結合されたいずれかの容器において任意の構成又は壁区域を任意の手法によりさらに反転することにより、部分的又は完全に閉じられたエアギャップを形成できる製造ステップ、
・任意の理由により、一体不可分に結合されたいずれかの容器に任意の形状又は形態の追加の１つ又は複数の部分を任意の手法によって追加することにより、部分的又は完全に閉じられたエアギャップを形成できる製造ステップ、
・断熱改善を含めた何らかの理由により、及び／又はユーザインタラクティブ構成の一部として、任意の手法によって任意の形態、特性又は性質の１つ又は複数の追加の材料をエアギャップ内に追加すること
・反転された第２のより小さい容器がその設計上の形状／形態を完全にとることを保証するために追加の成形／形成手法を適用する製造ステップ、
・一体不可分に結合されたいずれかの容器の任意の表面に、任意の手法により印刷する製造ステップ
が含まれるが、これらに限定されない。
【０１０８】
第２の好適な実施形態では、同一方向に延在する２つの一体不可分に結合されている隣り合った容器であって、当該容器間にエアギャップを有し、熱可塑性材料から単体として延伸ブロー成形された容器の構造を有する、量産に適したデュアル容器を製造するための方法及び装置が開示される。最初に、第１の開口端及び第２の開口端を有する熱可塑性の筒形ブランクが形成される。筒形ブランク及び延伸ブロー成形される一体不可分の二重壁容器の双方の壁厚を最小限にするため、そのＲＳｍａｘは実質的に３又は３未満である。筒形ブランクは、その融点を下回って硬化するために十分に冷却できるようにされる。次に筒形ブランクは、熱軟化温度域内であって熱可塑性材料の融点を下回る第１の熱調整温度に熱調整される。熱調整された後、筒形ブランクは１を大きく上回るＬＳで長手方向に機械的に延伸され、ＲＬｍａｘが３未満となり、好適には１以下のオーダとなるように、ガス圧によって外側に向かってブロー成形される。互いに逆方向に延在する第１の容器及び一体不可分に結合された第２のより小さい容器の構造を有する延伸ブロー成形された一体不可分のデュアル容器を中間製品として形成するため、長手方向の機械的延伸と、長手方向及び／又は径方向におけるガス圧延伸との組み合わせが、筒形ブランクを一致するようにかつ延伸的に第１のデュアル容器形状の金型キャビティセットの形状にする。次に、さらなる熱調整を適用することによって、延伸ブロー成形された第２のより小さい容器と、有利であると考えられる場合には第１の容器の少なくとも一部とを、第２の熱調整温度に熱調整する。その後、少なくとも１つの成形された反転ピストン及び第２のデュアル容器形状の金型キャビティセットが１つ又は複数の壁安定装置と共に設けられる。この壁安定装置は、第２のより小さい容器が、第１の容器と同一方向かつ第１の容器の内部に延在する実質的に鏡像反転された第２のより小さい容器となるために、第２のより小さい容器の（１つ又は複数の）側壁を少なくとも部分的に表裏反転することができ、それと同時に第２のより小さい容器の底壁の少なくとも大部分が反転しないようにするため、２つの一体不可分に結合されている延伸ブロー成形された容器のうち一方又は双方の容器の壁表面の少なくとも一部に適用されるものである。これに代えて、第２のより小さい容器を手動で反転することができる。
【０１０９】
第１のデュアル容器形状の金型キャビティセットは典型的には、以下のものを有する一体不可分の相互接続されたキャビティ凹部を備えているが、決してこれらに限定されない：
・筒形ブランクの第１の開口端に機械的及び／又は密閉的係合接続するための大開口の凹部
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、部分的に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは、互いに逆方向に延在し、
・筒形ブランクの第２の開口端に機械的及び／又は密閉的係合接続するための、係合的に接続された大開口の凹部。
【０１１０】
第２のデュアル容器形状の金型キャビティセットは典型的には、以下のものを有する一体不可分の相互接続されたキャビティ凹部を備えているが、決してこれらに限定されない：
・延伸ブロー成形された第１の容器の部分的に閉じられた底壁に機械的及び／又は密閉的係合接続するための大開口の凹部、
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、部分的に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは、互いに逆方向に延在し、
・第２のより小さい容器底壁ゾーンの一部となる少なくとも１つの係合的に接続された成形された反転ピストン凹部、
・さらに、
・第１の容器及び／又は第２のより小さい容器用の少なくとも１つの熱調整装置と、
・少なくとも１つの大気未満圧力源と相互接続するための少なくとも１つの通路と、
を有し得る。
【０１１１】
ＬＳが１を大きく上回るブロー成形段階の前の機械的延伸段階と、ＲＳｍａｘが実質的に３又は３未満である筒形ブランクと、（１つ又は複数の）壁安定装置及び成形された反転ピストンによって支援される第２のより小さい容器の反転との組み合わせにより、同一方向に延在する２つの一体不可分に結合されている隣り合った容器であって、当該容器間にエアギャップを有する容器の構造を備えた一体不可分の二重壁容器を、量産に適した単体として形成することができる。このようにして形成されたエアギャップは、部分的に密閉されたエアギャップ又は開放したエアギャップとすることができる。
【０１１２】
任意のシーケンス時点に追加の製造ステップを追加することができ、これには以下のものが含まれるが、以下のものに限定されない：
・（１つ又は複数の）壁安定装置と（１つ又は複数の）成形された反転ピストンとを使用して、反転された第２のより小さい容器の側壁長を伸張性に延伸すること
・一体不可分に結合されたいずれかの容器及び／又は筒形ブランクの任意の１つ又は複数の一部分を、何らかの理由により任意の手法によって切除すること
・いずれかの部分的に閉じられた底壁を任意の手法によって、完全に閉じられた底壁に変換し、これによって、完全に閉じられたエアギャップを形成することができる
・いずれかの一体不可分に結合された容器の任意の構成又は壁区域を何らかの理由により任意の方法によってさらに反転し、これによって、部分的又は完全に閉じられたエアギャップを形成することができる
・何らかの理由により任意の手法によっていずれかの一体不可分に結合された容器を構成するために任意の形状又は形態の１つ又は複数の追加の部分を追加することにより、部分的又は完全に閉じられたエアギャップを形成することができる
・断熱改善を含めた何らかの理由により、及び／又はユーザインタラクティブ構成の一部として、任意の手法によって任意の形態、特性又は性質の１つ又は複数の追加の材料をエアギャップ内に追加すること
・反転した第２のより小さい容器がその最終設計形状／形態を完全にとることを保証するための追加の成形／形成手法を適用すること
・いずれかの一体不可分に結合された容器の任意の表面上に任意の手法により印刷すること。
【０１１３】
第３の好適な実施形態では、一体不可分に結合されている隣り合った２つの容器であって、同一方向に延在し当該容器間にエアギャップを有する２つの容器の構造を有する二重壁容器を製造するための量産に適した方法及び装置を提供し、二重壁容器は熱可塑性材料から単体として延伸ブロー成形される。最初に、１つの開口端を有する熱可塑性の筒形ブランクを形成する。筒形ブランク及び延伸ブロー成形される一体不可分の二重壁容器の双方の壁厚を最小限にするため、そのＲＳｍａｘは実質的に３又は３未満である。筒形ブランクは、その融点を下回って硬化するために十分に冷却できるようにされる。次に筒形ブランクは、熱軟化温度域内であって熱可塑性材料の融点を下回る第１の熱調整温度に熱調整される。熱調整された後、筒形ブランクは１を大きく上回るＬＳで長手方向に機械的に延伸され、ＲＬｍａｘが３未満となり、好適には１以下のオーダとなるように、ガス圧によって外側に向かってブロー成形される。互いに逆方向に延在する第１の容器及び一体不可分に結合された第２のより小さい容器の構造を有する延伸ブロー成形された一体不可分のデュアル容器を中間製品として形成するため、長手方向の機械的延伸と、長手方向及び／又は径方向におけるガス圧延伸との組み合わせが、筒形ブランクを一致するようにかつ延伸的に第１のデュアル容器形状の金型キャビティセットの形状にする。次に、さらなる熱調整を適用することによって、延伸ブロー成形された第２のより小さい容器と、有利であると考えられる場合には第１の容器の少なくとも一部とを、第２の熱調整温度に熱調整する。第２の熱調整は、必要に応じて加熱及び／又は冷却を含む温度域とすることができる。その後、形成される物品の内表面形態を決定する外表面形態を有するオス金型部材の形状の少なくとも１つの成形された反転ピストンと、一重容器形状の形態を有する第２の容器形状の金型キャビティセットとが、１つ又は複数の壁安定装置と共に設けられる。この壁安定装置は、第２のより小さい容器が、第１の容器と同一方向かつ第１の容器の内部に延在するよう第１の容器を実質的に鏡像反転した第２のより小さい容器となるために、第２のより小さい容器の（１つ又は複数の）側壁が第２の容器形状の金型キャビティと実質的に接触せずに当該側壁を少なくとも部分的に表裏反転することができ、それと同時に第２のより小さい容器の底壁の少なくとも大部分が反転しないようにするため、２つの一体不可分に結合されている延伸ブロー成形された容器のうち一方又は双方の容器の壁表面の少なくとも一部に適用されるものである。これに代えて、第２のより小さい容器を手動で反転することができる。
【０１１４】
第１のデュアル容器形状の金型キャビティセットは典型的には、以下のものを有する一体不可分の相互接続されたキャビティ凹部を備えているが、決してこれらに限定されない：
・筒形ブランクの１つの開口端に機械的及び／又は密閉的係合接続するための大開口の凹部、
・開口部ゾーンと（１つ又は複数の）側壁ゾーンと、部分的に閉じられた底壁ゾーンとを有する係合的に接続された第１の容器キャビティ凹部。これらのゾーンは全て、任意の目的のために小径のキャビティ壁構成を有し得る、
・開口部ゾーンと（１つ又は複数の）側壁ゾーンと、完全に閉じられた底壁ゾーンとを有する係合的に接続された第２のより小さい容器キャビティ凹部。これらのゾーンは全て、任意の目的のために小径のキャビティ壁構成を有し得る、
・第１の容器キャビティ凹部と第２のより小さい容器キャビティ凹部とは、互いに逆方向に延在する。
【０１１５】
第１のデュアル容器形状の金型キャビティセットに少なくとも１つ又は複数のユーザインタラクティブ壁構成を、（１つ又は複数の）第１の容器キャビティ凹部壁の内側に延在する急峻／小径の壁変化の形態で組み込むことにより、完成品の一体不可分の二重壁容器に反転一致するユーザインタラクティブ構成を組み込むことができる。
【０１１６】
かかる第１のデュアル容器形状の金型キャビティユーザインタラクティブ壁構成は、
・内側に延在する湾曲した若しくは螺旋ねじ状の壁等の任意の形態、
・実質的に直角に内側に延在する壁方向変化等、
・相互接続する内側に延在する複数の壁等、
・複数の内側に延在する隣り合った壁等、
・これらの組み合わせ、又は、
・当業者に容易に明らかとなる任意のユーザインタラクティブな内側に延在する壁構成
を含み得るが、決してこれらに限定されない。
【０１１７】
第１の容器と、反転された第２のより小さい容器との間に形成されるエアギャップは、最終的な形成後の物品のユーザインタラクティブ構成の一体不可分の一部としても使用することができ、これには、
・１つ若しくは複数のボール状の物及び／若しくはエアギャップ空間内で動くことができる任意の他の代替形状の物を追加することによりインタラクティブな迷路状構造を形成すること、
・エアギャップ内に挿入され若しくは浮遊する１つ若しくは複数の任意の追加のインタラクティブ構成要素の上方、下方、前方又は後方移動を導き出すための駆動手段であって、完成後の一体不可分の二重壁容器をユーザが動かすことのみによる駆動手段等の一部として、
・エアギャップ内に挿入された１つ若しくは複数の任意の追加のインタラクティブ構成要素の上方、下方、前方又は後方移動を導き出すための駆動手段であって、エアギャップに挿入された１つ若しくは複数の追加のインタラクティブ構成要素とのユーザの直接接触を含めたユーザインタラクションによるインタラクティブ構成要素運動の一部を形成する駆動手段の一部として、
・これらの任意の組み合わせ、又は、
・当業者に容易に明らかとなる他の任意の一体不可分のインタラクティブ構成
が含まれるが、これらに限定されない。
【０１１８】
一重容器形状の形態を有する第２の容器形状の金型キャビティセットは典型的には、以下のものを有する一体不可分の相互接続されたキャビティ凹部を備えることができるが、決して以下のものに限定されない：
・延伸ブロー成形された第１の容器の部分的に閉じられた底壁に機械的及び／又は密閉的係合接続をするための大開口の凹部、
・開口部ゾーンと（１つ又は複数の）側壁ゾーンと、部分的に閉じられた底壁ゾーンとを有する係合的に接続され、これらのゾーンは全て任意の目的のために小径のキャビティ壁構成を有し得る第１の容器キャビティ凹部、
・さらに以下のものを含むことができる：
・少なくとも１つの第１の容器及び／又は第２のより小さい容器用の熱調整装置。この熱調整は、熱の印加、冷却の適用、又はそれらの任意の組み合わせとすることができる。
・少なくとも１つの大気未満圧力源と相互接続するための少なくとも１つの通路。
【０１１９】
第２の容器形状の金型キャビティセットの一重容器形状の形態は、第２のより小さい容器が実質的に自由なままで第２の容器形状の金型から解放されていることにより実質的に包囲されないようにしつつ、中間の延伸ブロー成形された一体不可分のデュアル容器の第１の容器の大半を包囲する。
【０１２０】
第２のより小さい容器が実質的に包囲されていないことにより、
・第２のより小さい容器の内部にあるか、外部にあるか、又は内部及び外部の両方にあるかにかかわらず、第２のより小さい容器を熱調整するためにいかなる形態又は複数の形態のいかなる組み合わせの接触及び／又は非接触加熱も使用することができ、かかる第２のより小さい容器の熱調整は反転プロセスの一部又は全部の間効果を持続することができる。
・壁安定制御の手段として大気より高い圧力を内部で使用することにより、第２のより小さい容器が伸張性及び弾性で外側へ自由に膨張できるようにし、これにより、第２のより小さい容器が壁損傷に耐えることなく反転する能力を改善することができる。
・壁安定制御の手段として大気より低い圧力を外部で使用することにより、第２のより小さい容器が伸張性及び弾性で外側へ自由に膨張できるようにし、これにより、第２のより小さい容器が壁損傷に耐えることなく反転する能力を改善することができる。
・又は、これらの任意の組み合わせを使用することができる。
【０１２１】
第２の容器形状の金型キャビティセットを熱調整する好適な手段は、液体冷却の適用によるものである。
【０１２２】
中間状態の延伸ブロー成形された一体不可分のデュアル容器の第２のより小さい容器を熱調整する好適な手段は、赤外線加熱によるものである。
【０１２３】
試験により、第２のより小さい容器の壁反転を行う間に、反転する壁のいずれかの部分が、反転する壁の他の任意の部分を基準としたランダムな方向に動ける何らかの機会があると、壁の少なくとも一部が材料の弾性限界を越え、これにより壁の損傷が生じる原因となり得ることが判明した。
【０１２４】
反転前及び反転中に内部における大気を超える圧力及び／又は外部における大気未満の圧力の形態の壁安定制御を適用することによって第２のより小さい容器が弾性で外側に向かって膨張自在となり、なおかつ、形成される物品の内表面形態を決定する外表面形態を有するオス金型部材の形状の（１つ又は複数の）成形された反転ピストンによって反転を行う場合には、第２のより小さい容器の（１つ又は複数の）反転する壁は常に、壁安定制御と、オス金型部材の形状の（１つ又は複数の）成形された反転ピストンと、によって規定された通りにのみ動くように制約され、これにより材料の弾性限界を超えることがなくなる。これにより、損傷の無い壁反転を達成することができる。
【０１２５】
形成される物品の内表面形態を決定する外表面形態を有するオス金型部材の形状の成形された反転ピストンは、当業者に公知の１つ若しくは複数の取出手段及び／又は１つ若しくは複数の冷却手段を具備することができる。
【０１２６】
成形された反転ピストンの取出手段を適用する場合には、取出し中に反転された容器の安定性を提供するため、反転された第２の容器の安定装置を係合することができる。
【０１２７】
ＬＳが１を大きく上回るブロー成形段階の前の機械的延伸段階と、ＲＳｍａｘが実質的に３又は３未満である筒形ブランクと、（１つ又は複数の）壁安定装置及び成形された反転ピストンによって支援される第２のより小さい容器の反転との組み合わせにより、同一方向に延在する２つの一体不可分に結合されている隣り合った容器であって、当該容器間にエアギャップを有する容器の構造を備えた一体不可分の二重壁容器を、量産に適した単体として形成することができる。このようにして形成されたエアギャップは、部分的に密閉されたエアギャップ又は開放したエアギャップとすることができる。
【０１２８】
任意のシーケンス時点において追加の製造ステップを追加することができ、これには、
・（１つ又は複数の）壁安定装置と成形された反転ピストンとを使用して、反転された第２のより小さい容器の側壁長を延伸的に延長する製造ステップ、
・一体不可分に結合されたいずれかの容器及び／又は筒形ブランクの任意の１つ又は複数の一部分を、何らかの理由により任意の手法によって切除する製造ステップ、
・いずれかの部分的に閉じられた底壁を任意の手法によって、完全に閉じられた底壁に変換し、これによって、完全に閉じられたエアギャップを形成する製造ステップ、
・いずれかの一体不可分に結合された容器の任意の構成又は壁区域を何らかの理由により任意の方法によってさらに反転し、これによって、部分的又は完全に閉じられたエアギャップを形成する製造ステップ、
・何らかの理由により任意の手法によっていずれかの一体不可分に結合された容器を構成するために任意の形状又は形態の１つ又は複数の追加の部分を追加することにより、部分的又は完全に閉じられたエアギャップを形成する製造ステップ、
・断熱改善を含めた何らかの理由により、及び／又はユーザインタラクティブ構成の一部として、任意の手法によって任意の形態、特性又は性質の１つ又は複数の追加の材料をエアギャップ内に追加する製造ステップ、
・反転した第２のより小さい容器がその最終設計形状／形態を完全にとることを保証するための追加の成形／形成手法を適用する製造ステップ、
・いずれかの一体不可分に結合された容器の任意の表面上に任意の手法により印刷する製造ステップ
が含まれるが、これらに限定されない。
【０１２９】
同一方向に延在する２つの一体不可分に結合されている隣り合った容器であって、当該容器間にエアギャップを有し、１つの開口端のみを有する筒形ブランクから単体として形成された容器の構造を備えた二重壁容器の形成の一部としての方法及び／又は装置について言及したが、これらは、同一方向に延在する２つの一体不可分に結合されている隣り合った容器であって、当該容器間にエアギャップを有し、第１及び第２の開口端を有する筒形ブランクから単体として形成された容器の構造を備えた二重壁容器の形成における方法及び／又は装置の一部とすることも同様に可能であり、またその逆も可能である。
【０１３０】
第２のより小さい容器の少なくとも大部分を反転し、第１の容器は反転しない方法及び装置について言及したが、方法及び装置は第１の容器の少なくとも大部分を反転し、第２のより小さい容器は反転しないことも、同様に可能である。
【０１３１】
第２の容器が第１の容器より小さい方法及び装置について言及したが、方法及び装置は、第２の容器より小さい第１の容器を備えることも同様に可能である。
【０１３２】
本発明の新規の全ての側面において考慮すべき本発明の他の側面は、単なる例として開示されている以下の説明から明らかとなる。
【０１３３】
図面の簡単な説明
添付の図面を参照して例示されている以下の説明から、本発明の実施例が明らかとなる。
【図面の簡単な説明】
【０１３４】
【図１】本発明の第１の好適な実施形態の熱可塑性樹脂筒形ブランクの３次元断面図である。
【図２】本発明の同一の第１の好適な実施形態の第１のデュアル容器形状の金型キャビティセットの少なくとも一部の３次元図である。
【図３】本発明のいずれかの好適な実施形態の第２のデュアル容器形状の金型キャビティセットの少なくとも一部の３次元図である。
【図４】本発明のいずれかの好適な実施形態の成形された反転ピストンの３次元断面図である。
【図５】本発明のいずれかの好適な実施形態の大気を上回る圧力内部壁安定制御の一部としての各代替的な内部容積形態の３次元図である。
【図６】本発明のいずれかの好適な実施形態の内部フレキシブル表面サポート構造の３次元図である。
【図７】本発明の第１の好適な実施形態の一体不可分の二重壁容器の製造のシーケンスの延伸ブロー成形を行う第３のステップの３次元断面図である。
【図８】本発明のいずれかの好適な実施形態の逆方向に延在する延伸ブロー成形された一体不可分の第１の容器及び第２のより小さい容器のための安定制御装置を備えた反転作業ステーションの３次元断面図である。
【図９】本発明のいずれかの好適な実施形態の一体不可分の二重壁容器の製造のシーケンスの第４の反転ステップの第１段階の３次元断面図である。
【図１０】本発明のいずれかの好適な実施形態における図９の第４の反転ステップの第２段階の３次元断面図である。
【図１１】本発明のいずれかの好適な実施形態における図９及び図１０の第４の反転ステップの第３の反転段階の３次元断面図である。
【図１２】本発明のいずれかの好適な実施形態における図９〜１１の第４の反転ステップの最終段階の３次元断面図である。
【図１３】本発明の第２の好適な実施形態の熱可塑性樹脂筒形ブランクの３次元断面図である。
【図１４】本発明の同一の第２の好適な実施形態の第１のデュアル容器形状の金型キャビティ配置体の少なくとも一部の３次元図である。
【図１５】本発明のいずれかの好適な実施形態の各代替的なデュアル容器形状の金型キャビティ形態の３次元断面図である。
【図１６】本発明の第３の好適な実施形態の、形成される物品の内表面形態を決定する外表面形態を有するオス金型部材の形状の成形された反転ピストンを、当該形成される物品と共に示す３次元断面図である。
【図１７】安定制御装置と、第１の容器及び／又は第２のより小さい容器の熱調整部と、図１６のオス金型部材の形状の成形された反転ピストンと、成形された反転ピストンの取出手段と、反転された第２の容器の安定装置と、を備え、一重容器形態を有する第２の容器形状の金型キャビティセットを含む、同じく本発明の第３の好適な実施形態の反転作業ステーションの３次元断面図である。
【図１８】同じく本発明の第３の好適な実施形態の、図１６の形成される物品が挿入され反転準備完了している図１７の反転作業ステーションの３次元断面図である。
【図１９】同じく本発明の第３の好適な実施形態の、物品が部分的に反転された図１７及び図１８の反転作業ステーションの３次元断面図である。
【図２０】同じく本発明の第３の好適な実施形態の、形成されている物品が完全に反転して一体不可分の二重壁容器の形態となった図１７〜１９の反転作業ステーションの３次元断面図である。
【図２１】同じく本発明の第３の好適な実施形態の、図２０の物品が完全に反転して一体不可分の二重壁容器の形態となった反転作業ステーションであって、反転された第２の容器の安定装置が係合した状態の反転作業ステーションの３次元断面図である。
【図２２】同じく本発明の第３の好適な実施形態の、図２０の物品が完全に反転して一体不可分の二重壁容器の形態となり反転作業ステーションから取出し準備完了した図１７〜２１の反転作業ステーションの３次元断面図である。
【図２３】同じく本発明の第３の好適な実施形態の、内側に延在する湾曲した壁の形態のユーザインタラクティブ壁構成を第１の容器のキャビティ壁凹部に有するデュアル容器形態の第１の容器形状の金型の３次元断面図である。
【図２４】同じく本発明の第３の好適な実施形態の、壁方向が実質的に直角に変化し、壁が相互接続したり隣接している、内側に延在する壁の形態のユーザインタラクティブ壁構成を、第１の容器のキャビティ壁凹部に有する、図２３のデュアル容器の形態の同じ第１の容器形状の金型の３次元断面図である。
【発明を実施するための形態】
【０１３５】
本願明細書において使用されている「上方」、「下方」、「前方」、「後方」等の用語は、図面中に示されている方向及び当業者に自明の方向をいうことが明らかである。これらの用語は相対的な方向を示すために用いられるが、他の限定を行うとみなすべきものではない。
【０１３６】
図１を参照すると、本発明の第１の好適な実施形態の閉じられた熱可塑性樹脂筒形ブランクが３次元断面図で示されている。
【０１３７】
本発明の第１の好適な実施形態では、閉じられた筒形ブランク１は開口端２を１つのみ有することが可能であり、また、閉じられた筒形ブランク１の壁厚３を最小限にするため、かつ、延伸ブロー成形される一体不可分のデュアル容器の壁厚（図示されていない）を最小限にするため、ＲＳｍａｘが実質的に３又は３未満となるように設計により最適化することができる。
【０１３８】
筒形ブランクをデュアル容器形状の金型キャビティセットに延伸により一致させるために、熱調整された筒形ブランクが機械的圧力及び／又はガス圧によって延伸されるとき、１つ又は複数の場所において
・筒形ブランクを延伸できるようにするために十分に筒形ブランクを機械的に挟持し、かつ、
・筒形ブランクの内部に圧力を印加できるようにするために十分に筒形ブランクを密閉性に挟持しなければならない。
【０１３９】
典型的なのは、閉じられた筒形ブランク１の開口端２が（図示されているように）実質的に丸いことである。というのもこれによって、最も確実かつ効率的な態様の機械的及び密閉性の取付けが達成されるからである。しかし、この１つの開口端２とは異なり、周面形状４は幾何学的及び／又は非幾何学的な形状の任意の組み合わせとすることができ、又は、形成すべき最終的な二重壁容器形状の筒形ブランク膨張に対して設計上意図された周の任意の１つ若しくは複数の変化とすることができる。
【０１４０】
閉じられた筒形ブランク１については、機械的挟持は１つの開口端２において達成することができる。機械的挟持は、１つの開口端２における１つ又は複数の一体不可分の機械的挟持形状５の形態とすることができ、これは、デュアル容器形状の金型キャビティ配置体の外部の機械的万力又はクランプ型配置体（図示されていない）と係合的に相互接続するものである。その後、かかるリム形状の機械的挟持形状５は、延伸ブロー成形された第１の容器（図示されていない）の部分的に閉じられた底壁を成すことができる。
【０１４１】
閉じられた筒形ブランク１については、ガス圧が少なくとも、デュアル容器形状の金型キャビティ配置体の外部密閉型配置体（図示されていない）と係合的に相互接続する内部への実質的に密閉された通路６を得るために、密閉挟持も１つの開口端２において達成することができる。密閉挟持は典型的には機械的挟持形状５の一部として１つの開口端２に組み込まれ、密閉を支援するために通常及び／又は追加の一体不可分構成の任意の組み合わせを備えることができる。
【０１４２】
閉じられた筒形ブランク１のための好適な熱可塑性樹脂はポリプロピレン（ＰＰ）であるが、任意の適切な熱可塑性樹脂も同様に使用することができる。熱可塑性樹脂は、石油系又は生物系、透明／透光性、半透明又は不透明、熱可塑性樹脂本来の樹脂色又は任意の一色若しくは複数色の任意の組み合わせ、単一種類の樹脂又は複数種類の樹脂の組み合わせ、又はこれらの任意の組み合わせとすることができる。
【０１４３】
図２を参照すると、本発明の同一の第１の好適な実施形態の第１のデュアル容器形状の金型キャビティセットの少なくとも一部が３次元図で示されている。
【０１４４】
本発明の第１の好適な実施形態では、第１のデュアル容器形状の金型キャビティセット７の少なくとも一部は典型的には、一体不可分の相互接続された複数のキャビティ凹部を備えており、これらのキャビティ凹部は以下のものを備えているが、決してこれらに限定されない：
・筒形ブランク１の１つの開口端２（図示されていない）に機械的及び／又は密閉的係合接続８するための大開口の凹部、
・開口部ゾーン１０と（１つ又は複数の）側壁ゾーン１１と、部分的に閉じられた底壁ゾーン１２とを有する係合的に接続された第１の容器キャビティ凹部９。これらのゾーンは全て、任意の目的のために小径のキャビティ壁構成を有することができ、最低限、部分的に閉じられた底壁は、側壁１１の端部の上述の機械的及び／又は密閉的係合接続形状８とすることができる、
・開口部ゾーン１４と（１つ又は複数の）側壁ゾーン１５と、完全に閉じられた底壁ゾーン１６とを有する係合的に接続された第２のより小さい容器キャビティ凹部１３。これらのゾーンは全て、任意の目的のために小径のキャビティ壁構成を有し得る、
・第１の容器キャビティ凹部９と第２のより小さい容器キャビティ凹部１３とは互いに逆方向に延在し、かつ一体不可分に接続されている１７。
【０１４５】
複雑な小径の金型キャビティ壁構成の例には、
・キャビティ壁の一部としての任意の形態のロゴ、グラフィックデザイン、レタリング、又は販売促進用の情報等１８、
・キャビティ壁の一部としての任意の幾何学的若しくは非幾何学的な形状又は形態（図示されていない）、
・形成されるリッジを典型とするキャビティ壁高さの任意の急峻な変化１９、
・同一平面の実質的に元のキャビティ壁高さに等しい急峻さで戻る、キャビティリブ又はキャビティ通路を典型とするキャビティ壁高さの任意の急峻な変化２０、
・キャビティ壁の一部としての任意の種類の凸状又は凹状のねじ形態（図示されていない）、
・これらの任意の組み合わせ、又は、
・当業者に容易に明らかとなる急峻／小径の変化の形態の複雑な幾何学的キャビティ壁構成
が含まれるが、決してこれらに限定されない。
【０１４６】
図３を参照すると、本発明のいずれかの好適な実施形態の第２のデュアル容器形状の金型キャビティセットの少なくとも一部が３次元図で示されている。
【０１４７】
本発明のいずれかの好適な実施形態では、第２のデュアル容器形状の金型キャビティセット２１の少なくとも一部は典型的には、以下のものを有する一体不可分の相互接続されたキャビティ凹部を備えているが、決してこれらに限定されない：
・延伸ブロー成形された第１の容器の部分的に閉じられた底壁（図示されていない）に機械的及び／又は密閉的係合接続２２するための大開口の凹部、
・開口部ゾーン２４と（１つ又は複数の）側壁ゾーン２５と、部分的に閉じられた底壁ゾーン２６とを有する、係合的に接続され延伸ブロー成形された第１の容器キャビティ凹部２３。これらのゾーンは全て、任意の目的のために小径のキャビティ壁構成を有することができ、最低限、部分的に閉じられた底壁は、側壁２５の端部の上述の機械的及び／又は密閉的係合接続機構２２とすることができる、
・開口部ゾーン２８と（１つ又は複数の）側壁ゾーン２９と、部分的又は完全に閉じられた底壁ゾーン３０の少なくとも一部とを有する、係合的に接続され延伸ブロー成形された第２のより小さい容器キャビティ凹部２７。これらのゾーンは全て、任意の目的のために小径のキャビティ壁構成を有し得る、
・延伸ブロー成形された第１の容器キャビティ凹部２３と、延伸ブロー成形された第２のより小さい容器キャビティ凹部２７とは、互いに逆方向に延在し、かつ一体不可分に接続３１されており、
・延伸ブロー成形された第２のより小さい容器２７の底壁ゾーン３０の一部としての少なくとも１つの係合的に接続された成形された反転ピストン凹部３２、
・さらに以下のものを備え得る：
・延伸ブロー成形された第１の容器２３及び／又は延伸ブロー成形された第２のより小さい容器２７用の少なくとも１つの熱調整装置。これは図示のように、（１つ又は複数の）キャビティヒータ挿入物３３ゾーンを任意の公知の手法により加熱できるように、及び／又は、キャビティの一部が所望の通りに未加熱状態に留まるように、加熱領域と未加熱領域との間にエアギャップ３４を有する少なくとも１つの別個のヒータ挿入物３３の形態である。
・少なくとも１つの大気未満圧力源（図示されていない）と相互接続するための少なくとも１つの通路３５。
【０１４８】
図４を参照すると、本発明のいずれかの好適な実施形態の成形された反転ピストンが３次元断面図で示されている。
【０１４９】
本発明のいずれかの好適な実施形態では、成形された反転ピストン３６は、延伸ブロー成形された第２のより小さい容器の底壁の少なくとも大部分が反転しないことを保証するため（図示されていない）、平坦な押し面（図示されていない）から、最終的な内側反転された底壁形状３７に一致する完全な成形された形状に及ぶ反転を支援するために必要な任意の形状／形態を有することができる。この好適な成形は、最終的な内側反転された底壁形状３７に一致する完全に成形された形状であり、反転プロセス中に延伸ブロー成形された第２のより小さい容器の底壁を十分に支持するものである。
【０１５０】
図示のように成形された反転ピストン３６は、成形された反転ピストン３６を壁反転駆動機構（図示されていない）に取り付ける１つの可能な手段として凹ねじ部３８を有することができる。１つの製造シーケンスの中で、いずれか１つの形状／形態又は複数の異なる形状／形態の任意の数の成形された反転ピストン３６を設けることができる。全体的な簡素化のために好適かつ高効率なのは、１つの成形された反転ピストン３６のみを設けることである。
【０１５１】
第２のデュアル容器形状の金型キャビティセット内の壁安定制御装置は、
・壁安定制御のために必要な１つ又は複数の領域において第２のデュアル容器形状の金型キャビティセットを介して、図３に示されているように、延伸ブロー成形されたいずれか１つ又は複数の外側デュアル容器壁表面に少なくとも１つの大気未満圧力源に接続される少なくとも１つの通路３５によって大気より低い圧力を印加すること、
・延伸ブロー成形された容器の内部に反転中に大気より高い圧力を供給するため（図示されていない）、第２のデュアル容器形状の金型キャビティセット内部に大気より高い圧力を印加すること、
・反転壁と未反転壁（図示されていない）とが交差する点において所望される最終的な反転形状／形態の形成を支援するため、少なくとも１つのフレキシブル壁表面サポート構造を第２のデュアル容器形状の金型キャビティセットの内部に挿入するための第２のデュアル容器形状の金型キャビティセット２１の機械的及び／又は密閉的係合接続機構２２の開口のうち少なくとも１つを使用して、関連する内部の延伸ブロー成形された容器壁表面に対する機械的壁安定性を達成し、及び／又は、かかる形状／形態の少なくとも１つのヘッド形状を達成すること、
・これらの任意の組み合わせ、又は、
・当業者に明らかである任意の他の第２のデュアル容器形状の金型キャビティセット壁安定制御
を含むが、これらに限定されない。
【０１５２】
図５を参照すると、本発明のいずれかの好適な実施形態の大気を上回る圧力内部壁安定制御の一部としての各代替的な内部容積形態が３次元図で示されている。
【０１５３】
一体不可分の二重壁容器構造については、逆方向に延在する延伸ブロー成形された第１の容器及び一体不可分の第２のより小さい容器３９（２つの延伸ブロー成形された容器の内側の空気体積）と、延伸ブロー成形された第１の容器と内側反転された第２のより小さい容器とが同一方向に延在する最終的な一体不可分の二重壁容器４０（２つの延伸ブロー成形された容器間のエアギャップ）と、の内部容積の差は大きく、典型的には１０倍より大きい体積差となる。高速製造のための要件が、反転を可能な限り迅速に行うことであると仮定すると、これら２つの非常に異なる内部容積間に発生する内部空気圧は、最善のケースでも制御困難となり得る。
【０１５４】
反転中に内部空気圧の変化速度が直接制御できる場合には、これは、圧力制御器及び／又はリリーフバルブ等の高速応答の空気圧制御装置（図示されていない）によるものとなり得る。しかし、内部空気圧の変化速度が高速応答の空気圧装置の高信頼性で制御する能力を超える場合には、反転装置段は１つ又は複数の別個の圧力チャンバ４１を備えることができ、この圧力チャンバ４１は、延伸ブロー成形された第１の容器３９及び一体不可分の第２のより小さい容器４０の組み合わされた内部容積４２（＝３９＋４１）及び４３（＝４０＋４１）が、当該延伸ブロー成形された第１の容器３９及び一体不可分の第２のより小さい容器４０の個別の内部容積より実質的に大きくなるように、両容器３９，４０の内部に係合的に相互接続するものである。このようにして、延伸ブロー成形された第２のより小さい容器が上述の組み合わされた内部容積４２から、組み合わされた内部容積４３内に反転されるときに、反転に起因する組み合わされた内部容積変化は小さくなり、よって、内部空気圧変化は最小限となることができ、容易に制御可能となる。空気圧制御装置及び／又は１つ若しくは複数の圧力チャンバ４１のいかなる組み合わせも、使用することができる。
【０１５５】
図６を参照すると、本発明のいずれかの好適な実施形態の内部フレキシブル表面サポート構造部が３次元図で示されている。
【０１５６】
本発明のいずれかの好適な実施形態では、反転中にいずれかの延伸ブロー成形された容器（図示されていない）に対して内部壁表面安定性を提供するため、図３の第２のデュアル容器形状の金型キャビティセット２１の機械的及び／又は密閉的係合接続部２２のための少なくとも１つの大開口の凹部を使用して、少なくとも１つの内部フレキシブル表面サポート構造部４４を第２のデュアル容器形状の金型キャビティセット２１内部に挿入することができる。この１つ又は複数のフレキシブル表面サポート構造部４４は、壁表面安定性が必要とされる任意の内部表面領域において、延伸ブロー成形された容器の関連する（１つ又は複数の）内部壁表面とバネ性かつ係合的にコンタクトするため、任意の手法によってバネ付勢されることができる。
【０１５７】
図示のように、内部フレキシブル表面サポート構造部４４は少なくとも１つのバネアーム４５を備えることができ、いずれのバネアーム４５も、成形されたヘッド４６を有することができ、この成形されたヘッド４６は、反転壁と未反転壁とが交差する位置において所望される最終的な反転形状／形態の形成を支援するように成形／形成されている。内部フレキシブル表面サポート構造４４の任意の位置に追加のバネを挿入することができ（図示されていない）、有利には、各成形されたヘッド４６間のヘッド間ギャップ４７内に挿入することができる。この１つ又は複数の内部フレキシブル表面サポート構造部４４は、製造シーケンス中の任意の時点で、反転前か又は反転中か又は反転後かにかかわらず、フレキシブルに挿入され、及び／又はフレキシブルに引き出されることができる。
【０１５８】
一体不可分の二重壁容器の製造のシーケンスの最初のステップは、図１の筒形ブランク１の形成とすることができる。筒形ブランク１の作製後、筒形ブランク１はその融点を下回って硬化するために十分に冷却できるようになる。筒形ブランク１は、任意の１つ若しくは複数の他のシーケンスステップと一体で、又は隣り合って形成することができ、又は代替的に、任意の１つ若しくは複数のシーケンスステップから離れて形成することができる。その形成手法は、当業者に知られている任意の適切なプロセスとすることができるが、好適には射出成形法又は押出法のいずれかによるものである。
【０１５９】
一体不可分の二重壁容器の製造のシーケンスの第２のステップは、筒形ブランク１を第１の熱調整温度に熱調整することである。熱調整は、当業者に知られている任意の熱調整手法とすることができ、少なくとも１つの他のシーケンスステップと一体とすること、又は別個若しくは個別のシーケンスステップとすることができる。例えば筒形ブランク１は一体不可分の二重壁容器形成とは離れて形成されるので熱形成温度まで上がるよう加熱される必要がある場合、熱調整は昇温とすることができ、例えば筒形ブランク１が少なくとも１つの一体不可分の二重壁容器形成シーケンスステップと隣り合って又は一体で形成されるので熱形成温度まで下がるように冷却される必要がある場合には、熱調整は降温とすることができる。好適には、筒形ブランク１の平均熱調整温度は８０〜１００℃のオーダである。
【０１６０】
図７を参照すると、本発明の同一の第１の好適な実施形態の一体不可分の二重壁容器の製造シーケンスの延伸ブロー成形を行う第３のステップが３次元断面図で示されている。
【０１６１】
本発明の第１の好適な実施形態では、一体不可分の二重壁容器の製造のシーケンスの第３のステップは、熱調整された筒形ブランク１の延伸ブロー成形４８とすることができる。４８ａに示されているように、熱調整された筒形ブランク１は第１のデュアル容器形状の金型キャビティセット７に装填される。４８ｂに示されているように、その後装置４９が、機械的及び／又は密閉機構５０によって支援されて、熱調整された筒形ブランク１を機械的に延伸する。機械的及び／又は密閉機構５０は、図１の筒形ブランク１の一体不可分の挟持機構５と、図２の第１のデュアル容器形状の金型キャビティセット７の機械的及び／又は密閉的係合接続部８とを備えることができる。４８ｃに示されているようにその後、実質的に密閉された通路６を介してガス圧（図示されていない）が、機械的及び／又は密閉機構５０によって支援されて、機械的に延伸された筒形ブランク１の内部に印加される。
【０１６２】
機械的延伸とガス圧延伸との組み合わせが、熱調整された筒形ブランク１を第１のデュアル容器形状の金型キャビティセット７の形状に一致させ、これにより、延伸ブロー成形された第１の容器５２及び一体不可分に結合された第２のより小さい容器５３の構造を有する延伸ブロー成形された一体不可分のデュアル容器５１であって、第１の容器５２と第２のより小さい容器５３とが互いに逆方向に延在するデュアル容器５１を形成する。
【０１６３】
熱調整された筒形ブランク１の長手軸方向の機械的延伸のＬＳは１を上回り、筒形ブランクに沿った方向における任意の位置のブロー成形ＲＳと組み合わされる場合、ＲＬｍａｘは３を大きく上回ってはならず、好適には実質的に１又は１未満である。
【０１６４】
ガス圧ブロー成形は機械的延伸の完了後に開始することができ、又は、ガス圧ブロー成形は機械的延伸の完了前に開始することができる。熱調整は第１のデュアル容器形状の金型キャビティセット７とは別個に行うことができ、及び／又は、第１のデュアル容器形状の金型キャビティセット７の一体部分（図示されていない）として行うことができる。
【０１６５】
熱調整は昇温か又は降温かにかかわらず、任意の１つ又は複数の装置パーツ又はサブパーツに同様に適用することができ、単なる例として、
・筒形ブランク１が第１のデュアル容器形状の金型キャビティセット７の形状を一致するように延伸的にとったときに、ブロー成形された一体不可分のデュアル容器５１を実質的に常温に戻すのを支援するために金型キャビティセット７の１つ又は複数の領域に冷却を適用すること、
・機械的延伸段階４８ｂ中及び／又はガス圧ブロー成形段階４８ｃ中に薄壁の筒形ブランク１の破壊を引き起こし得る機械的延伸装置４９の発熱を相殺するため、機械的延伸装置４９に冷却を適用すること（図示されていない）
が可能である。
【０１６６】
図８を参照すると、本発明のいずれかの好適な実施形態の逆方向に延在する延伸ブロー成形された一体不可分の第１の容器及び第２のより小さい容器に対する安定制御装置を備えた反転作業ステーションが、３次元断面図で示されている。
【０１６７】
本発明のいずれかの好適な実施形態では、反転作業ステーション５４は、以下のもののうちいずれか１つ又は複数を備えることができる：
・第２のデュアル容器形状の金型キャビティセット２１（図示のセットの実質的に半分）、
・少なくとも１つの別個のヒータ挿入物３３として示されている、延伸ブロー成形された第１の容器及び／又は第２のより小さい容器の少なくとも１つの加熱手法、
・少なくとも１つの大気未満圧力源（図示されていない）に相互接続される少なくとも１つの通路３５、
・少なくとも１つの成形された反転ピストン３６、
・第２のデュアル容器形状の金型キャビティセット２１の長手軸に対して相対的に少なくとも１つの成形された反転ピストン３６を動かす手法５５、
・少なくとも１つの内部フレキシブル表面サポート構造部４。これは、機械的及び／又は密閉的係合接続部２２のための大開口の凹部を介して内部フレキシブル表面サポート構造部４４を第２のデュアル容器形状の金型キャビティセット２１の内部から円滑かつ自由に引き抜き、及び／又は当該内部に通すことができるようにするためのバネ引張板５６の結果としてのバネ圧縮された状態で示されている。
・バネ引張板５６を少なくとも１つの内部フレキシブル表面サポート構造部４４に対して長手方向に相対的に動かす手法５７、
・少なくとも１つの内部フレキシブル表面サポート構造部４４の取付及び移動サポートのための構造５８、
・第２のデュアル容器形状の金型キャビティセット２１の長手軸に対して相対的に上記の取付及び移動サポートのための構造５８を動かす手法５９、
・少なくとも１つの一体不可分の圧力チャンバ６０、及び
・少なくとも１つの空気圧制御装置（図示されていない）。
【０１６８】
図９を参照すると、本発明のいずれかの好適な実施形態の一体不可分の二重壁容器の製造のシーケンスの第４の反転ステップの第１段階が３次元断面図で示されている。
【０１６９】
本発明のいずれかの好適な実施形態では、反転ステップが、反転作業ステーション５４の第２のデュアル容器形状の金型キャビティセット２１内への互いに逆方向に延在する第１の容器５２及び一体不可分に結合された第２のより小さい容器５３の構造を有する延伸ブロー成形された一体不可分のデュアル容器５１の配置を開始する。延伸ブロー成形された一体不可分のデュアル容器５１は、本発明のいずれかの好適な実施形態とすることができる。
【０１７０】
反転すべき延伸ブロー成形された一体不可分のデュアル容器５１の少なくとも１つ又は複数の一部分は、第２の熱調整温度に熱調整される必要がある。熱調整は任意の手法により行うことができ、また、反転作業ステーション５４内に配置される前及び／又は反転作業ステーション５４内部に配置された後に行うことができる。図示のように、反転作業ステーション５４は少なくとも１つのヒータ挿入物３３を備えることができる。
【０１７１】
第２の熱調整温度は、第１の熱調整温度と同一又は異なることができる。
【０１７２】
延伸ブロー成形された一体不可分のデュアル容器５１が反転作業ステーション５４内部に配置された後、取付及び移動サポートのための構造５８を第２のデュアル容器形状の金型キャビティセット２１に向かって長手方向に動かすことができ、これにより、延伸ブロー成形された一体不可分のデュアル容器５１の内部に少なくとも１つの内部フレキシブル表面サポート構造部４４を動かすことができる。少なくとも１つの内部フレキシブル表面サポート構造部４４の内部への挿入は、当該少なくとも１つの内部フレキシブル表面サポート構造部４４をバネ圧縮するバネ引張板５６によって支援されることができ、これにより、機械的及び／又は密閉的係合接続部２２のための大開口の凹部から入って延伸ブロー成形された一体不可分のデュアル容器５１の内部へ円滑かつ自由に移動することができる。
【０１７３】
図１０を参照すると、本発明のいずれかの好適な実施形態における図９の第４の反転ステップの第２段階が、３次元断面図で示されている。
【０１７４】
本発明のいずれかの好適な実施形態では、少なくとも１つの内部フレキシブル表面サポート構造部４４が、延伸ブロー成形された一体不可分のデュアル容器５１の内部に適正に位置決めされた後、バネ引張板５６は、延伸ブロー成形された一体不可分のデュアル容器５１を基準として後ろ側に引き抜くことができ、これにより、内部フレキシブル表面サポート構造部４４は外側に向かってバネ性に撓んで６１、反転サポートを要し得る延伸ブロー成形された一体不可分のデュアル容器５１の１つ又は複数のいずれかの関連する内側表面と係合的に接続／コンタクトすることができる。
【０１７５】
少なくとも１つの圧力源（図示されていない）が、組み合わされた延伸ブロー成形一体不可分デュアル容器５１及び圧力チャンバ６０の内部に、大気を上回る圧力６２を印加することができる。
【０１７６】
少なくとも１つの圧力源（図示されていない）が、延伸ブロー成形された一体不可分のデュアル容器５１の外部の１つ又は複数の任意の関連する場所（図示されていない）に、大気未満の圧力を印加することができる。
【０１７７】
図１１を参照すると、本発明のいずれかの好適な実施形態における図９及び図１０の第４の反転ステップの第３の反転段階が、３次元断面図で示されている。
【０１７８】
本発明のいずれかの好適な実施形態では、延伸ブロー成形された一体不可分のデュアル容器５１のうちいずれか１つ又は複数の関連するゾーンが第２の熱調整温度に熱調整され、かつ、いずれか１つ又は複数の壁安定制御手法が適用された場合は、延伸ブロー成形された第２のより小さい容器５３の反転を開始するため、少なくとも１つの成形された反転ピストン３６が、延伸ブロー成形された一体不可分のデュアル容器５１を基準として長手方向６３に動かすことができる。
【０１７９】
延伸ブロー成形された第２のより小さい容器５３の最適な反転を保証するためには、反転壁区域と無反転壁区域とが係合的に接続する領域において壁安定性を制御することが重要である：
・延伸ブロー成形された第２のより小さい容器５３が完全な鏡像位置に完全反転されることが望まれる場合、第２のデュアル容器形状の金型キャビティセット２１において壁安定制御が行われる領域は、延伸ブロー成形された第１の容器５２の開口部ゾーン６４と第２のより小さい容器５３の開口部ゾーン６４との間の接続領域となり、
・延伸ブロー成形された第２のより小さい容器５３が実質的な鏡像位置に部分的にのみ反転されることが望まれる場合、第２のデュアル容器形状の金型キャビティセット２１において壁安定制御が行われる領域は、形成される最終的な一体不可分の二重壁容器形状に関して設計上必要と考えられるどの場所でもよい。
【０１８０】
・最初に、底壁６５の少なくとも大部分が反転しない状態に留まり、最初に開口部６４に向かって長手軸方向６３に移動するように、少なくとも１つの成形された反転ピストン３６を用いて第２のより小さい容器５３の底壁６５において反転するように押し、
・その後、（１つ又は複数の）側壁の底壁側端部から開始して当該（１つ又は複数の）側壁６７の開口端側端部６４に向かって徐々に当該（１つ又は複数の）側壁６６を適正に反転し、
・最後に、開口部６４の反転又は設計上最後に反転を行うべき他のいずれかの場所の反転を行って終了する、
反転ステップにより、延伸ブロー成形された第２のより小さい容器５３が適正に反転されるためには、壁安定制御が行われる領域が配されている第２のデュアル容器形状の金型キャビティセット２１内のどの位置でも、関連する延伸ブロー成形された（１つ又は複数の）壁領域を物理的に可能な限り安定した状態に維持することが重要である。
【０１８１】
少なくとも１つの内部フレキシブル表面サポート構造部４４は、単なる一例として開口部ゾーン６４として示されているような、反転壁と無反転壁とが交差する位置において所望される最終的な反転形状／形態の形成を支援するため、上述の形状／形態の少なくとも１つのヘッド形状を有することができる。
【０１８２】
・シーケンス内のいずれかの時点において、必要に応じて外側に向かってバネ性に撓む６１ことにより、延伸ブロー成形された一体不可分のデュアル容器５１のうちいずれか１つ又は複数の関連する内側表面と係合的に接続／コンタクトするように係合され又は引き抜かれる、少なくとも１つの内部フレキシブル表面サポート構造部４４、
・シーケンスの任意の時点で印加又は解除される大気を上回る圧力６２、
・シーケンスの任意の時点で印加又は解除される大気未満の圧力（図示されていない）、又は
・これらの任意の組み合わせ
を含めて、いずれか１つ又は複数の壁安定制御手法が反転シーケンス内の任意の特定の時点で動作可能とすることができるが、これらに限定されない。
【０１８３】
また、例えば反転が手動で行われる場合のみ等、いかなる壁安定制御手法も適用せずに反転を行うこともできる。
【０１８４】
図１２を参照すると、本発明のいずれかの好適な実施形態における図９〜１１の第４の反転ステップの最終段階が、３次元断面図で示されている。
【０１８５】
本発明のいずれかの好適な実施形態では、少なくとも１つの成形された反転ピストン３６が長手方向６３におけるその最終的な設計位置に達したときに、反転が終了している。この時点で、
・少なくとも１つの内部フレキシブル表面サポート構造部４４を引き出して５８、バネ引張板５６が内部フレキシブル表面サポート構造部４４をもう一度バネ圧縮するようにバネ引張板５６を動かすことができ、又は、
・この引き出しの前に、少なくとも１つの内部フレキシブル表面サポート構造部４４は係合状態に留まり、どの反転した壁も延伸的に伸ばすことができるように（図示されていない）、少なくとも１つの成形された反転ピストン３６は長手方向６３にさらに移動を継続することができる。
【０１８６】
第４の反転ステップを終了するためには、
・任意の時点において任意の大気を上回る圧力６２を解除することができ、
・任意の時点において任意の大気未満圧力源（図示されていない）を解除することができ、
・少なくとも１つの成形された反転ピストン３６をそのホーム位置（図示されていない）に引き出して戻すことができる。
【０１８７】
ＬＳが１を大きく上回るブロー段階の前の機械的延伸段階と、ＲＳｍａｘが実質的に３又は３未満である筒形ブランクと、少なくとも１つのデュアル容器形状の金型キャビティセットと、（１つ若しくは複数の）成形されたピストンと、の組み合わせの結果として、第１の容器６９及び一体不可分に結合され７０少なくとも大部分が反転した第２のより小さい容器７１の構造であって、第１の容器６９及び反転した第２のより小さい容器７１が互いに同一方向に延在することにより両容器間に開放し又は少なくとも部分的に密閉されたエアギャップ７２を形成する構造を備えた、量産に適している単体として、一体不可分の二重壁容器６８を形成することができる。
【０１８８】
・一体不可分に結合されたいずれかの容器及び／又は筒形ブランクの任意の１つ又は複数の一部分を、何らかの理由により任意の手法によって切除するステップ、
・いずれかの部分的に閉じられた底壁を任意の手法によって、完全に閉じられた底壁に変換し、これによって、完全に閉じられたエアギャップを形成することができるステップ、
・いずれかの一体不可分に結合された容器の任意の構成又は壁区域を何らかの理由により任意の方法によってさらに反転し、これによって、部分的又は完全に閉じられたエアギャップを形成することができるステップ、
・何らかの理由により任意の手法によっていずれかの一体不可分に結合された容器を構成するために任意の形状又は形態の１つ又は複数の追加の部分を追加することにより、部分的又は完全に閉じられたエアギャップを形成することができるステップ、
・断熱改善を含めた何らかの理由により、及び／又はユーザインタラクティブ構成の一部として、任意の手法によって任意の形態、特性又は性質の１つ又は複数の追加の材料をエアギャップ内に追加するステップ、
・反転した第２のより小さい容器がその最終設計形状／形態を完全にとることを保証するための追加の成形／形成手法を適用するステップ、
・いずれかの一体不可分に結合された容器の任意の表面上に任意の手法により印刷するステップ
を含めた追加の製造ステップを、任意のシーケンス時点で追加することができるが、これらに限定されない。
【０１８９】
量産速度が必要とされない状況では、代わりに手動で第２のより小さい容器を反転することができる。
【０１９０】
図１３を参照すると、本発明の第２の好適な実施形態における開放した熱可塑性樹脂筒形ブランクが３次元断面図で示されている。
【０１９１】
本発明の第２の好適な実施形態では、開放した筒形ブランク７３は第１の開口端７４と第２の開口端７５とを備えており、開放した筒形ブランク７３の壁厚７６を最小限にし、なおかつ延伸ブロー成形すべき一体不可分の二重壁容器（図示されていない）の壁厚を最小限にするため、当該開放した筒形ブランク７３のＲＳｍａｘが実質的に３又は３未満となるように設計上最適化することができる。
【０１９２】
熱調整された筒形ブランクをデュアル容器形状の金型キャビティセットに延伸的に一致させるために当該筒形ブランクは機械的圧力及び／又はガス圧によって延伸されるので、１つ又は複数の場所において、
・筒形ブランクを延伸できるようにするために十分に当該筒形ブランクを機械的に挟持し、
・圧力を筒形ブランクの内部まで印加できるようにするために十分に当該筒形ブランクを密閉性に挟持しなければならない。
【０１９３】
開放した筒形ブランク７３の開口端７４及び７５が（図示されているように）十分に丸形であることが典型的である。しかし、開口端７４及び７５とは異なり、筒形ブランクの周面形状７７は、幾何学的並びに／若しくは非幾何学的形態の任意の組み合わせ、又は、設計によって意図された、形成すべき最終的な二重壁容器形状による筒形ブランク膨張に対する周の１つ若しくは複数の任意の相対的変化とすることができる。
【０１９４】
開放した筒形ブランク７３については、機械的挟持は両端７４及び７５において行うことができる。機械的挟持は、一方及び／又は双方の開口端における１つ又は複数の一体不可分の機械的挟持形状７８の形態とすることができ、これは、デュアル容器形状の金型キャビティ配置体の外部の機械的万力又はクランプ型配置体（図示されていない）と係合的に相互接続するものである。一方及び／又は双方の開口端に挟持形状７９を設けないことも可能である。
【０１９５】
開放した筒形ブランク７３については、ガス圧が内部まで少なくとも実質的に封止された通路６を獲得するために、密閉挟持も一方及び／又は双方の開口端で行うことができ、この通路６は、デュアル容器形状の金型キャビティ配置体（図示されていない）の外部の密閉型配置体と係合的に相互接続するものである。密閉挟持は典型的には機械的挟持の一部として組み込まれ、密閉を支援するために通常及び／又は追加の一体不可分の機構の任意の組み合わせを備えることができる。
【０１９６】
開放した筒形ブランク７３のための好適な熱可塑性樹脂はポリプロピレン（ＰＰ）であるが、任意の適切な熱可塑性樹脂も同様に使用することができる。熱可塑性樹脂は、石油系又は生物系、透明／透光性、半透明又は不透明、熱可塑性樹脂本来の樹脂色又は任意の一色若しくは複数色の任意の組み合わせ、単一種類の樹脂又は複数種類の樹脂の組み合わせ、又はこれらの任意の組み合わせとすることができる。
【０１９７】
図１４を参照すると、本発明の同一の第２の好適な実施形態における第１のデュアル容器形状の金型キャビティ配置体の少なくとも一部が、３次元図で示されている。
【０１９８】
本発明の第２の好適な実施形態では、第１のデュアル容器形状の金型キャビティ配置体８０の少なくとも一部が典型的には、
・一体不可分の相互接続された複数のキャビティ凹部を有する第１のデュアル容器形状の金型キャビティセット８１の少なくとも一部、を備えるが、これらに限定されない。これは、以下のものを備えているが、決してこれらに限定されない：
・開放された筒形ブランク７３の少なくとも１つの開口端に接続できる機械的及び／又は密閉的係合接続部８２のための大開口の凹部、
・開口部ゾーン８４と（１つ又は複数の）側壁ゾーン８５と、部分的に閉じられた底壁ゾーン８６とを有する係合的に接続された第１の容器キャビティ凹部８３。これらのゾーンは全て、任意の目的のために小径のキャビティ壁構成を有し得る、
・開口部ゾーン８８と（１つ又は複数の）側壁ゾーン８９と、部分的に閉じられた底壁ゾーン９０とを有する係合的に接続された第２のより小さい容器キャビティ凹部８７。これらのゾーンは全て、任意の目的のために小径のキャビティ壁構成を有し得る、
・第１の容器キャビティ凹部８３と第２のより小さい容器キャビティ凹部８７とは、互いに逆方向に延在し、かつ一体不可分に結合されており９１、
・開放された筒形ブランク７３の機械的延伸を支援するための配置体であって、２つの開口端を有し、図示のように、熱調整された筒形ブランクの長手軸方向９４での機械的延伸を支援するために、開放された筒形ブランク７３の少なくとも１つの開口端９３と任意の公知の手法によって密閉性及び／又は機械的に係合できる配置体９２の形態である配置体。
【０１９９】
一体不可分の二重壁容器を形成するための各処理ステップは、インライン処理ステップとして、隣り合った処理ステップとして、若しくは離れた処理ステップとして、又はこれらの組み合わせとして行うことができる。好適なのは、これらの処理ステップがインライン及び／又は互いに隣り合って行われることである。
【０２００】
教示されている各処理ステップ及び装置デバイスは、１つの製造シーケンスで１回のみ任意の順序で行うことができ、又は、任意の１つ又は複数の処理ステップ及び／又は装置デバイスは、全体的な製造スループットを最大限効率的にするため、必要に応じて連続的若しくは非連続的に複数回実施することができる。教示されている１つ又は複数の処理ステップは、必要に応じて共に組み合わせることができ、又はサブステップに分離することができる。
【０２０１】
互いに同一方向に延在する２つの一体不可分に結合されている隣り合った容器であって、当該容器間にエアギャップを有し、１つの開口端のみを有する筒形ブランクから単体として形成された容器の構造を備えている、延伸ブロー成形された二重壁容器の形成の一部としての方法及び／又は装置について言及した場合には、互いに同一方向に延在する２つの一体不可分に結合されている隣り合った容器であって、当該容器間にエアギャップを有し、第１の開口端及び第２の開口端を有する筒形ブランクから単体として形成された容器の構造を備えている、延伸ブロー成形された二重壁容器の形成における方法及び／又は装置の一部とすることもでき、またその逆も可能である。
【０２０２】
第２のより小さい容器の少なくとも大部分を反転し第１の容器は反転しない方法及び装置について言及した場合には、方法及び装置は、第１の容器の少なくとも大部分を反転し第２のより小さい容器は反転しないことも可能である。
【０２０３】
容器反転が機械的装置の結果である方法及び装置について言及した場合には、方法及び装置は１つ又は複数の手動の容器反転ステップを有することも可能である。
【０２０４】
図１５を参照すると、本発明のいずれかの好適な実施形態における複数の代替的な第２のデュアル容器形状の金型キャビティ形態が３次元図で示されている。
【０２０５】
本発明のいずれかの好適な実施形態では、第２のより小さい容器キャビティ凹部は、その対応する第１の容器キャビティ凹部より僅かに小さくすることができ、又は、第２のより小さい容器キャビティ凹部はその対応する第１の容器キャビティ凹部より格段に小さくすることができる（図示されていない）。
【０２０６】
第２のより小さい容器キャビティ凹部はその対応する第１の容器キャビティ凹部と実質的に同一の形状／形態９５を有することができ、又は、第２のより小さい容器キャビティ凹部はその対応する第１の容器キャビティ凹部とは大きく異なる若しくは完全に異なる形状／形態９６を有することができる。第２の容器形状の金型キャビティセットの金型キャビティセット半部は、互いの厳密な鏡像コピーとすることができ、又は、第２の容器形状の金型キャビティセットの金型キャビティ半部は、互いに異なるキャビティ形状／形態を有することができる（図示されていない）。
【０２０７】
本願にて教示されている方法及び装置の結果として形成される一体不可分の二重壁容器の主な市場用途には、
・単なる例として各図のデュアル容器形状の金型キャビティ形態で既に示したような、ファストフード及びコーヒー販売店用のカップ、
・単なる例としてデュアル容器形状の金型キャビティ形態９７に示したような、ファストフード及びコーヒー販売店用の皿又は蓋、
・単なる例としてデュアル容器形状の金型キャビティ形態９８及び９９に示したような、腐敗性の食品、医薬品、化学物質及び化粧品用のボトル又はポトル、
・単なる例としてデュアル容器形状の金型キャビティ形態１００に示したような、ファストフード用の容器、
・単なる例としてデュアル容器形状の金型キャビティ形態９７，９８，９９及び１００に示したような、任意の市場セクタに対する２次的な包装カップ、グラス、ボトル、皿、蓋又は容器
が含まれるが、これらに限定されない。
【０２０８】
図１６は、本発明の第３の好適な実施形態の、形成される物品の内表面形態を決定する外表面形態を有するオス金型部材の形状の成形された反転ピストンを、当該形成される物品と共に示す３次元図である。
【０２０９】
第３の好適な実施形態のオス金型部材の形状の成形された反転ピストン１０１は、形成されている物品１０４の内表面形態１０３を決定する外表面形態１０２を有することができる（同図には、形成されている物品１０４は、第１の容器１０５及び一体不可分に結合された第２の容器１０６の構造の中間製品の延伸ブロー成形された一体不可分のデュアル容器の形態となっているのが示されており、第１の容器１０５及び第２の容器１０６は互いに逆方向に延在すると共に、単体として形成されている）。
【０２１０】
オス金型部材の形状の成形された反転ピストン１０１は、以下のものを具備することができる：
・任意の１つ又は複数の取出手段１０７（同図では、圧縮空気通路の形態で示されている）、
・１つ又は複数の熱調整手段１０８。内側及び／又は外側を問わない（同図では、内側の冷却通路の形態で示されている）。
【０２１１】
オス金型部材の形状の成形された反転ピストン１０１の表面形態１０２は、円錐（図示されている）、凸形（図示されていない）、凹形（図示されていな）及び／若しくは他の任意の形態、又はこれらの形態の組み合わせとすることができる。
【０２１２】
第２の容器１０６が反転された後、オス金型部材形状の成形された反転ピストン１０１が、形成されている物品１０４の内表面１０３を決定する場合には、ここで形成後の物品は、オス金型部材の形状の成形された反転ピストン１０１と少なくとも実質的に符合するように係合し（図示されていない）、これにより、オス金型部材の形状の成形された反転ピストン１０１を形成後の物品内における位置から引き抜くためには、１つ又は複数の引抜支援手段を要することとすることができる。かかる引抜支援手段は当業者に多数周知であり、典型的には「取出機構」と称される。
【０２１３】
引抜き中の好適な取出機構は、符合係合領域へ供給される圧縮空気（同図では、圧縮空気通路を介して供給される）及び／又は他の形態の機械的取出機構（不図示）である。
【０２１４】
オス金型部材の形状の成形された反転ピストン１０１には、形成後の物品の内表面（図示されていない）を決定する結果として、形成後の物品に残留する何らかの残留熱調整と相俟って、発熱の傾向があり得る。かかる発熱を相殺するため、当業者に知られている１つ又は複数の形態の冷却手段１０８（同図では内部冷却通路１０８の形態である）を、オス金型部材の形状の成形された反転ピストン１０１の内部及び／又は外部に組み込むことができる。
【０２１５】
図１７は、一重容器形態を有する第２の容器形状の金型キャビティセットと、安定制御装置と、第２のより小さい容器の熱調整部と、オス金型部材の形状の成形された反転ピストンと、成形された反転ピストンの取出手段と、反転された第２の容器の安定装置と、を備えた、同じく本発明の第３の好適な実施形態の反転作業ステーションの３次元図である。
【０２１６】
本発明の同じ第３の好適な実施形態では、反転作業ステーション１０９は、
・一重容器形態を有する第２の容器形状の金型キャビティセットと、
・安定制御装置１１１（同図では、大気を上回る内部空気圧力システムの形態である）と、
・第２のより小さい容器の熱調整部１１２（同図では、赤外線加熱システムの形態である）と、
・成形された反転ピストンの取出手段１０７及び／又は熱調整手段１０８を具備できるオス金型部材の形状の成形された反転ピストン１０１と、
・反転された第２の容器の安定装置１１３（同図では、引抜き可能な補強機構の形態である）と、
を備えることができる。
【０２１７】
一重容器形態を有する第２の容器形状の金型キャビティセットは、第１の容器の加熱及び／若しくは冷却熱調整部並びに／又は大気未満圧力壁安定装置（不図示）等へのアクセス路１１４を備えることもできる。
【０２１８】
図１８は、同じく本発明の第３の好適な実施形態の、図１６の形成される物品が挿入され反転準備完了している図１７の反転作業ステーションの３次元図である。
【０２１９】
本発明の同じ第３の好適な実施形態では、形成される物品１０４が反転作業ステーション１０９へ挿入されて反転準備完了している。挿入された後は、
・形成される物品１０４の第１の容器の（１つ又は複数の）側壁１０５の少なくとも大部分が、第２の容器形状の金型キャビティセット１１０に包囲され１１５、
・形成される物品１０４の第２のより小さい容器の（１つ又は複数の）側壁１０６の少なくとも大部分が、第２の容器形状の金型キャビティセット１１０に包囲されない１１６。
【０２２０】
第２のより小さい容器１０６の少なくとも大部分が第２の容器形状の金型キャビティセット１１０に包囲されないことにより、
・第２のより小さい容器１０６の内部にあるか、外部にあるか（図示されている）、又は内部及び外部の両方にあるかにかかわらず、第２のより小さい容器１０６を熱調整するために、いかなる形態又は複数の形態のいかなる組み合わせの接触及び／又は非接触加熱１１２も使用することができる。
・かかる第２のより小さい容器の熱調整１１２は、反転プロセスの一部又は全部の間効果を持続することができる。
・壁安定制御手段として内部に大気を上回る圧力を使用し、及び／又は、外部に大気未満の圧力を使用することにより（不図示）、
熱調整された第２のより小さい容器１０６が伸張性及び弾性で外側に向かって膨張自在となり、これにより、第２のより小さい容器１０６が壁損傷に耐えることなく反転する能力を改善することができる。
【０２２１】
図１９は、同じく本発明の第３の好適な実施形態の、形成される物品が部分的に反転された図１７及び図１８の反転作業ステーションの３次元図である。
【０２２２】
本発明の同じ第３の好適な実施形態では、第２のより小さい容器１０６の壁の少なくとも一部が伸張性及び弾性で外側に向かって膨張自在となり、少なくとも１つのオス金型部材の形状の成形された反転ピストン１０１が第２の一重容器形状の金型キャビティ１１０の長手方向１１８に変位することによる反転を行う準備が完了し１１７、これにより、
・第２のより小さい容器１０６の少なくとも部分的な底壁１１９が少なくとも１つのオス金型部材の形状の成形された反転ピストン１０１と係合し、
・当該少なくとも１つのオス金型部材の形状の成形された反転ピストン１０１が第２の一重容器形状の金型キャビティ１１０の長手方向１１８に変位して第２のより小さい容器１０６の少なくとも部分的な底壁１１９が第１の容器１０５に向かって変位して入り込み、
・形成される物品１０４の少なくとも１つの側壁が少なくとも部分的な底壁１１９の変位の進行と共に徐々に反転され１２０、それと同時に、形成される物品の徐々に反転される内表面形態がオス金型部材の形状の成形された反転ピストン１０１の外表面形態と徐々に符合して係合していく１２０
ことにより、形成される物品１０４が形成される。
【０２２３】
進行する反転１２０前及び反転１２０中に熱調整と内部圧力及び／又は外部圧力の形態の壁安定制御とを適用することによって（図示されていない）第２のより小さい容器１０６が伸張性及び弾性で外側に向かって膨張自在となり、なおかつ、形成される物品１０１の内表面形態を決定する外表面形態を有する少なくとも１つのオス金型部材の形状の成形された反転ピストンによって反転を行う場合には、第２のより小さい容器１０６の（１つ又は複数の）反転する壁１２０は常に、壁安定制御と、オス金型部材の形状の（１つ又は複数の）成形された反転ピストン１０１と、によって規定された通りにのみ動くように制約され、これにより、反転する壁１２０は材料の弾性限界を超えることがなくなる。これにより、損傷の無い壁反転を達成することができる。
【０２２４】
図２０は、同じく本発明の第３の好適な実施形態の、物品が完全に反転した図１７〜１９の反転作業ステーションを示す３次元図である。
【０２２５】
本発明の同じの第３の好適な実施形態では、少なくとも１つのオス金型部材の形状の成形された反転ピストン１０１が第２の一重容器形状の金型キャビティ１１０の長手方向１２１に完全に変位しており、これにより、完全に反転した物品１２２が形成されている（同図中では、第１の容器及び一体不可分に結合された第２の容器の構造を有する一体不可分のデュアル容器であって、第１の容器と第２の容器とが互いに同一方向に延在し、かつ単体として形成されているデュアル容器の形態となっている）。
【０２２６】
図２１は、同じく本発明の第３の好適な実施形態の反転作業ステーションと、図２０の物品が完全に反転して、反転された第２の容器の安定装置が係合したものとを示す３次元図である。
【０２２７】
本発明の同じ第３の好適な実施形態では、物品が完全に反転すると１２２、オス金型部材の形状の成形された反転ピストン１０１の少なくとも大部分が、形成後の物品１２３と符号するように係合することができ、これにより、完全に反転した物品１２２の内部からオス金型部材の形状の成形された反転ピストン１０１を引き抜く際には１つ又は複数の引抜支援手段を要することとすることができる。
【０２２８】
オス金型部材の形状の成形された反転ピストン１０１の外表面形態と、形成後の物品１２２の内表面形態との少なくとも大部分に及ぶ符合した係合の解除に際し、オス金型部材の形状の成形された反転ピストン１０１の外表面形態を支援する手段としての引抜きプロセス中には、少なくとも大部分が反転した第２のより小さい容器の形状、形態又は安定性に影響を及ぼさないことが重要である。こうするためには、反転された第２のより小さい容器の少なくとも１つの安定装置１１３を、形成後の物品１２２と係合により結合すること１２４ができる（同図では、機械的取出補強部１１３の形態となっている）。
【０２２９】
引抜支援手段を適用する場合には、反転された第２のより小さい容器の安定装置１１３は、形成後の物品１２２のいずれか一部が全体的な安定性に不利ないずれかの方向に動くのを阻止することができる。
【０２３０】
図２２は、同じく本発明の第３の好適な実施形態の、図２０の物品が完全に反転して取出し準備完了した図１７〜２１の反転作業ステーションの３次元図である。
【０２３１】
本発明の同じ第３の好適な実施形態では、オス金型部材の形状の成形された反転ピストン１０１の少なくとも大部分がその開始位置に引き抜き戻され、反転された第２のより小さい容器のいずれかの安定装置１１３の少なくとも大部分がその開始位置に引き抜き戻された後は、完全に反転した物品１２２（同図では、第１の容器及び一体不可分に結合された第２の容器の構造を有する一体不可分のデュアル容器であって、第１の容器と第２の容器とが互いに同一方向に延在し、かつ単体として形成されているデュアル容器の形態となっている）は取出し準備完了した状態となることができる。
【０２３２】
図２３は、同じく本発明の第３の好適な実施形態の、内側に延在する湾曲した壁の形態のユーザインタラクティブ壁構成を第１の容器のキャビティ壁凹部に有するデュアル容器形態の第１の容器形状の金型の３次元図である。
【０２３３】
本発明の同じ第３の好適な実施形態では、第１の容器キャビティ壁凹部１２６と第２のより小さい容器キャビティ凹部１２７とを含むデュアル容器形態の第１の容器形状の金型１２５は、第１の容器キャビティ壁凹部１２６内に内側に延在する湾曲した壁１２８の形態のユーザインタラクティブ構成を備えることができる。
【０２３４】
単なる一例として、形成後の物品の第１の容器と、反転された第２のより小さい容器との間に得られたエアギャップ（不図示）を、形成後の物品の第１の容器壁に設けられた反転一致し内側に延在する湾曲した壁と共に、ユーザインタラクティブ構成の一体不可分の一部として使用することができ、これには、
・エアギャップ内の流体及び／又はエアギャップ内に浮遊する空気中に挿入された１つ若しくは複数の任意の追加のインタラクティブ構成要素（不図示）の上方、下方、前方又は後方移動を導き出すための駆動手段であって、完成後の一体不可分の二重壁容器をユーザが動かすことのみによる駆動手段等の一部等としての使用、
・エアギャップ内に挿入された１つ若しくは複数の任意の追加のインタラクティブ構成要素（不図示）の上方、下方、前方又は後方移動を導き出すための駆動手段であって、エアギャップに挿入された１つ若しくは複数の追加のインタラクティブ構成要素とのユーザの直接接触を含めた直接的なユーザインタラクションによるインタラクティブ構成要素運動の一部を形成する駆動手段等、の一部としての使用
が含まれるが、これらに限定されない。
【０２３５】
図２４は、同じく本発明の第３の好適な実施形態の、壁方向が実質的に直角に変化し、壁が相互接続したり隣接している、内側に延在する壁の形態のユーザインタラクティブ壁構成を、第１の容器のキャビティ壁凹部に有する、図２３のデュアル容器の形態の同じ第１の容器形状の金型の３次元図である。
【０２３６】
本発明の同じ第３の好適な実施形態では、第１の容器キャビティ壁凹部１２６と第２のより小さい容器キャビティ凹部１２７とを含むデュアル容器形態の第１の容器形状金型１２５は、壁方向が実質的に直角に変化したり、壁が相互に接続したり隣接する、内側に延在する壁１２９の形態のユーザインタラクティブ構成を、第１の容器のキャビティ壁凹部１２６内に有することができる。
【０２３７】
単なる一例として、形成後の物品の第１の容器と、反転した第２のより小さい容器との間に得られたエアギャップ（不図示）を、内側に延在する湾曲した壁１２９によって第１の容器キャビティ壁凹部１２６に形成された反転一致し内側に延在する壁、例えば、実質的に直角の壁方向変化と、相互接続する壁と、隣接する壁との任意の組み合わせを有する形成後の物品の反転一致し内側に延在する壁等と共に使用することができ、これらは全てユーザインタラクティブ構成の一体不可分の一部を形成し、これには、
・１つ若しくは複数のボール状の物及び／若しくはエアギャップ空間内で動くことができる任意の他の代替形状の物を追加することによりインタラクティブな迷路状構造を形成すること（不図示）
が含まれるが、決してこれらに限定されない。必要な場合には、エアギャップ内に任意の形態の流体を追加することができる。
【０２３８】
同一方向に延在する２つの一体不可分に結合されている隣り合った容器の構造を有する二重壁容器であって、当該容器間にエアギャップを有し単体として形成された容器の構造を備えた二重壁容器の形態の最終的な形成後の物品にユーザインタラクティブ構成を作成するため、内側に延在する壁構成の形状及び形態を任意の数とし、又は形状及び形態の組み合わせを任意の数として、デュアル容器形態の第１の容器形状の金型の第１の容器キャビティ壁に組み込むことができることは、当業者に明らかである。
【０２３９】
第２の容器が第１の容器より小さい方法及び装置について言及したが、方法及び装置の第１の容器が第２の容器より小さいことも、同様に可能である。
【０２４０】
上記の説明において、公知の均等物を有する完全体又は構成要素について言及した場合には、かかる均等物も個別に記載されている場合と同等に、本願の内容に組み込まれている。
【０２４１】
本発明の可能な実施形態を参照して本発明を例示的に説明したが、本発明の範囲及び思想を逸脱することなく本発明に改善及び／又は改良を施すことが可能であることは明らかである。いずれかの実施形態を含む任意の１つ又は複数の要素を任意の順序で組み合わせて、当業者に容易に明らかとなる他の実施形態とすることも可能である。
【図１】
2021511234.tif 000002
【図２】
2021511234.tif 000003
【図３】
2021511234.tif 000004
【図４】
2021511234.tif 000005
【図５】
2021511234.tif 000006
【図６】
2021511234.tif 000007
【図７】
2021511234.tif 000008
【図８】
2021511234.tif 000009
【図９】
2021511234.tif 000010
【図１０】
2021511234.tif 000011
【図１１】
2021511234.tif 000012
【図１２】
2021511234.tif 000013
【図１３】
2021511234.tif 000014
【図１４】
2021511234.tif 000015
【図１５】
2021511234.tif 000016
【図１６】
2021511234.tif 000017
【図１７】
2021511234.tif 000018
【図１８】
2021511234.tif 000019
【図１９】
2021511234.tif 000020
【図２０】
2021511234.tif 000021
【図２１】
2021511234.tif 000022
【図２２】
2021511234.tif 000023
【図２３】
2021511234.tif 000024
【図２４】
2021511234.tif 000025
【国際調査報告】
2021511234.tif 000026
2021511234.tif 000027